(57)【要約】【課題】端末装置および基地局装置が互いに、効率的に通信をすること【解決手段】ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前記複素数値シンボルは前記所定のサブフレームの最後のＳＣ−ＦＤＭＡシンボルの前記リソースエレメントにマップされないこと。【選択図】図１４
2020057822.tif 000002
【特許請求の範囲】
【請求項１】
複素数値シンボルを、１つのサブフレームにおけるリソースエレメントにマップするリソースマップ部と、
前記複素数値シンボルを含むＰＵＳＣＨを所定のサブフレームで送信する送信部と、を備え、
前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、
前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前
記複素数値シンボルは前記所定のサブフレームの最後のＳＣ−ＦＤＭＡシンボルの前記リソースエレメントにマップされず、
前記複素数値シンボルがマップされる前記リソースエレメントは少なくとも前記ＰＵＳＣＨのために割り当てられるリソースブロックに含まれる前記リソースブロックである
端末装置。
【請求項２】
前記複素数値シンボルは参照信号の送信に用いられる前記リソースエレメントにマップされず、
前記ＰＵＳＣＨが送信されるサービングセルの前記サブフレームにおいてＳＲＳが送信される場合に、前記複素数値シンボルは前記サブフレームの最後のＳＣ−ＦＤＭＡシンボルのリソースエレメントにマップされず、
前記ＰＵＳＣＨのための帯域（リソース）の少なくとも一部がセル固有ＳＲＳの前記サブフレームと重複し、かつ、前記端末装置が所定の動作モードに設定されている場合に、前記複素数値シンボルは前記サブフレームの最後の前記ＳＣ−ＦＤＭＡシンボルの前記リソースエレメントにマップされず、
前記複素数値シンボルは前記ＰＵＳＣＨが送信される前記サブフレームにおいて第１の固有ＳＲＳが設定される前記ＳＣ−ＦＤＭＡシンボルの前記リソースエレメントにマップされず、
前記端末装置が複数のタイミングアドバンスグループを設定される場合に、前記複素数値シンボルは前記ＰＵＳＣＨが送信される前記サブフレームにおいて第２の固有ＳＲＳが設定される前記ＳＣ−ＦＤＭＡシンボルの前記リソースエレメントにマップされず、
前記下りリンク制御情報に含まれ、前記ＰＵＳＣＨの送信開始シンボルを指示する第２のフィールド（PUSCH starting position）が０１、１０、または、１１を示す場合に、
前記複素数値シンボルは前記サブフレームの最初の前記ＳＣ−ＦＤＭＡシンボルの前記リソースエレメントにマップされない
請求項１に記載の端末装置。
【請求項３】
前記ＰＵＳＣＨの送信が前記２ステップコンテンションベースランダムアクセス手順における前記ＰＵＳＣＨの送信である場合に、前記所定のＳＣ−ＦＤＭＡシンボルは、ランダムアクセスプリアンブルのフォーマットに少なくとも基づき与えられる
請求項２に記載の端末装置。
【請求項４】
前記ＰＵＳＣＨの送信が前記２ステップコンテンションベースランダムアクセス手順における前記ＰＵＳＣＨの送信である場合に、前記所定のＳＣ−ＦＤＭＡシンボルは、上位層の信号に少なくとも基づき与えられる
請求項２に記載の端末装置。
【請求項５】
前記ＰＵＳＣＨの送信が前記２ステップコンテンションベースランダムアクセス手順における前記ＰＵＳＣＨの送信である場合に、前記ＰＵＳＣＨで送信されるサブフレームの最後のＳＣ−ＦＤＭＡシンボルの時間連続信号の少なくとも一部が０に設定され、
前記時間連続信号が０に設定される期間は、少なくともランダムアクセスプリアンブルのフォーマットに基づき与えられる
請求項２に記載の端末装置。
【請求項６】
ＰＵＳＣＨを受信する受信部と、
前記ＰＵＳＣＨのリソースエレメントにマップされる複素数値シンボルを復調する復調部と、を備え、
前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、
前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前
記複素数値シンボルは前記所定のサブフレームの最後のＳＣ−ＦＤＭＡシンボルの前記リソースエレメントにマップされず、
第２の系列がマップされる前記リソースエレメントは少なくとも前記ＰＵＳＣＨのために割り当てられるリソースブロックに含まれる前記リソースブロックである
基地局装置。
【請求項７】
前記複素数値シンボルは参照信号の送信に用いられる前記リソースエレメントにマップされず、
前記ＰＵＳＣＨが送信されるサービングセルの前記サブフレームにおいてＳＲＳが送信される場合に、前記複素数値シンボルは前記サブフレームの最後のＳＣ−ＦＤＭＡシンボルのリソースエレメントにマップされず、
前記ＰＵＳＣＨのための帯域（リソース）の少なくとも一部がセル固有ＳＲＳの前記サブフレームと重複し、かつ、前記ＰＵＳＣＨを送信する端末装置が所定の動作モードに設定されている場合に、前記複素数値シンボルは前記サブフレームの最後の前記ＳＣ−ＦＤＭＡシンボルの前記リソースエレメントにマップされず、
前記複素数値シンボルは前記ＰＵＳＣＨが送信される前記サブフレームにおいて第１の固有ＳＲＳが設定される前記ＳＣ−ＦＤＭＡシンボルの前記リソースエレメントにマップされず、
前記端末装置が複数のタイミングアドバンスグループを設定される場合に、前記複素数値シンボルは前記ＰＵＳＣＨが送信される前記サブフレームにおいて第２の固有ＳＲＳが設定される前記ＳＣ−ＦＤＭＡシンボルの前記リソースエレメントにマップされず、
前記下りリンク制御情報に含まれ、前記ＰＵＳＣＨの送信開始シンボルを指示する第２のフィールド（PUSCH starting position）が０１、１０、または、１１を示す場合に、
前記複素数値シンボルは前記サブフレームの最初の前記ＳＣ−ＦＤＭＡシンボルの前記リソースエレメントにマップされない  請求項６に記載の基地局装置。
【請求項８】
前記ＰＵＳＣＨの送信が前記２ステップコンテンションベースランダムアクセス手順における前記ＰＵＳＣＨの送信である場合に、前記所定のＳＣ−ＦＤＭＡシンボルは、ランダムアクセスプリアンブルのフォーマットに少なくとも基づき与えられる
請求項７に記載の基地局装置。
【請求項９】
前記ＰＵＳＣＨの送信が前記２ステップコンテンションベースランダムアクセス手順における前記ＰＵＳＣＨの送信である場合に、前記所定のＳＣ−ＦＤＭＡシンボルは、上位
層の信号に少なくとも基づき与えられる
請求項７に記載の基地局装置。
【請求項１０】
前記ＰＵＳＣＨの送信が前記２ステップコンテンションベースランダムアクセス手順における前記ＰＵＳＣＨの送信である場合に、前記ＰＵＳＣＨで送信されるサブフレームの最後のＳＣ−ＦＤＭＡシンボルの時間連続信号の少なくとも一部が０に設定され、
前記時間連続信号が０に設定される期間は、少なくともランダムアクセスプリアンブルのフォーマットに基づき与えられる
請求項７に記載の基地局装置。
【請求項１１】
端末装置に用いられる通信方法であって、
複素数値シンボルを、１つのサブフレームにおけるリソースエレメントにマップするステップと、
前記複素数値シンボルを含むＰＵＳＣＨを所定のサブフレームで送信するステップと、を備え、
前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、
前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前
記複素数値シンボルは前記所定のサブフレームの最後のＳＣ−ＦＤＭＡシンボルの前記リソースエレメントにマップされず、
前記複素数値シンボルがマップされる前記リソースエレメントは少なくとも前記ＰＵＳＣＨのために割り当てられるリソースブロックに含まれる前記リソースブロックである
通信方法。
【請求項１２】
基地局装置に用いられる通信方法であって、
ＰＵＳＣＨを受信するステップと、
前記ＰＵＳＣＨのリソースエレメントにマップされる複素数値シンボルを復調するステップと、を備え、
前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、
前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前
記複素数値シンボルは前記所定のサブフレームの最後のＳＣ−ＦＤＭＡシンボルの前記リソースエレメントにマップされず、
第２の系列がマップされる前記リソースエレメントは少なくとも前記ＰＵＳＣＨのために割り当てられるリソースブロックに含まれる前記リソースブロックである
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。また、３ＧＰＰにおいて、新たな無線アクセス方式（以下、「New Radio（NR）」と
称する。）が検討されている。ＬＴＥでは、基地局装置をｅＮｏｄｅＢ（evolved NodeB
）とも称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
非特許文献６において、初期アクセス手順、および、ランダムアクセス手順の遅延および／またはオーバーヘッドの削減のための技術を検討することが提案されている（非特許文献６）。
【先行技術文献】
【非特許文献】
【０００４】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"Motivation for new SI proposal: Enhancements to initial access and scheduling for low-latency LTE", RP-162295, 5th December 2016.
【発明の概要】
【発明が解決しようとする課題】
【０００５】
本発明は、基地局装置とのランダムアクセスを効率的に実行することができる端末装置、該端末装置と通信する基地局装置、該端末装置に用いられる通信方法、該基地局装置に用いられる通信方法を提供する。
【課題を解決するための手段】
【０００６】
（１）本発明の第１の態様は、端末装置１であって、複素数値シンボルを、１つのサブフレームにおけるリソースエレメントにマップするリソースマップ部と、前記複素数値シンボルを含むＰＵＳＣＨを所定のサブフレームで送信する送信部と、を備え、前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前記
複素数値シンボルは前記所定のサブフレームの最後のＳＣ−ＦＤＭＡシンボルの前記リソースエレメントにマップされず、前記複素数値シンボルがマップされる前記リソースエレ
メントは少なくとも前記ＰＵＳＣＨのために割り当てられるリソースブロックに含まれる前記リソースブロックである。
【０００７】
（２）本発明の第２の態様は、基地局装置３であって、ＰＵＳＣＨを受信する受信部と、前記ＰＵＳＣＨのリソースエレメントにマップされる複素数値シンボルを復調する復調部と、を備え、前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol
）が１を示す場合に、前記複素数値シンボルは前記所定のサブフレームの最後のＳＣ−ＦＤＭＡシンボルの前記リソースエレメントにマップされず、第２の系列がマップされる前記リソースエレメントは少なくとも前記ＰＵＳＣＨのために割り当てられるリソースブロックに含まれる前記リソースブロックである。
【０００８】
（３）本発明の第３の態様は、端末装置１に用いられる通信方法であって、複素数値シンボルを、１つのサブフレームにおけるリソースエレメントにマップするステップと、前記複素数値シンボルを含むＰＵＳＣＨを所定のサブフレームで送信するステップと、を備え、前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示
す場合に、前記複素数値シンボルは前記所定のサブフレームの最後のＳＣ−ＦＤＭＡシンボルの前記リソースエレメントにマップされず、前記複素数値シンボルがマップされる前記リソースエレメントは少なくとも前記ＰＵＳＣＨのために割り当てられるリソースブロックに含まれる前記リソースブロックである。
【０００９】
（４）本発明の第４の態様は、基地局装置３に用いられる通信方法であって、ＰＵＳＣＨを受信するステップと、前記ＰＵＳＣＨのリソースエレメントにマップされる複素数値シンボルを復調するステップと、を備え、前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前記複素数値シンボルは前記所定のサブ
フレームの最後のＳＣ−ＦＤＭＡシンボルの前記リソースエレメントにマップされず、第２の系列がマップされる前記リソースエレメントは少なくとも前記ＰＵＳＣＨのために割り当てられるリソースブロックに含まれる前記リソースブロックである。
【発明の効果】
【００１０】
この発明によれば、端末装置および基地局装置は、効率的にランダムアクセス手順を実行することができる。
【図面の簡単な説明】
【００１１】
【図１】本実施形態の無線通信システムの概念図である。
【図２】本実施形態の無線フレームの概略構成を示す図である。
【図３】本実施形態の上りリンクスロットの概略構成を示す図である。
【図４】本実施形態の端末装置１の構成を示す概略ブロック図である。
【図５】本実施形態の符号化部１０７１による符号化ビット系列のインターリーブの例を示した図である。
【図６】本実施形態の多重部１０７７がＰＵＳＣＨ生成部１０７３から入力される第２の系列のリソースマッピングの一例を示す図である。
【図７】本実施形態の基地局装置３の構成を示す概略ブロック図である。
【図８】本実施形態における４ステップコンテンションベースランダムアクセス手順の一例を示す図である。
【図９】本実施形態における２ステップコンテンションベースランダムアクセス手順の一例を示す図である。
【図１０】本実施形態における２ステップコンテンションベースランダムアクセス手順の変形例を示す図である。
【図１１】本実施形態における非コンテンションベースランダムアクセス手順の一例を示す図である。
【図１２】本実施形態におけるイベントとランダムアクセス手順の形態の対応の一例を示す図である。
【図１３】本実施形態におけるイベントとランダムアクセス手順の形態の対応の別の例を示す図である。
【図１４】本実施形態の第１の値NPUSCHendの決定方法の一例を示した図である。
【図１５】本実施形態の第１の値NPUSCHendの決定方法の一例を示した図である。
【発明を実施するための形態】
【００１２】
以下、本発明の実施形態について説明する。
【００１３】
図１は、本実施形態の無線通信システムの概念図である。図１において、無線通信システムは、端末装置１、および、基地局装置３を具備する。
【００１４】
以下、キャリアアグリゲーションについて説明する。
【００１５】
本実施形態では、端末装置１は、１、または、複数のサービングセルが設定される。端末装置１が複数のサービングセルを介して通信する技術をセルアグリゲーション、またはキャリアアグリゲーションと称する。キャリアアグリゲーションにおいて、設定された複数のサービングセルを集約されたサービングセルとも称する。
【００１６】
本実施形態の無線通信システムは、ＴＤＤ（Time Division Duplex）および／またはＦＤＤ（Frequency Division Duplex）が適用される。セルアグリゲーションの場合には、
複数のサービングセルの全てに対してＴＤＤが適用されてもよい。また、セルアグリゲーションの場合には、ＴＤＤが適用されるサービングセルとＦＤＤが適用されるサービングセルが集約されてもよい。本実施形態において、ＦＤＤが適用されるサービングセルをＦＤＤサービングセル（ＦＤＤセル）とも称する。本実施形態において、ＴＤＤが適用されるサービングセルをＴＤＤサービングセル（ＴＤＤセル）とも称する。本実施形態において、ＬＡＡが適用されるサービングセルをＬＡＡサービングセル（ＬＡＡセル）とも称する。
【００１７】
ＦＤＤは、フレーム構成タイプ１において適用される。また、ＴＤＤは、フレーム構成タイプ２において適用される。フレーム構成タイプは、無線フレームの構成を示す。ＬＡＡ（Licenced Assisted Access）は、フレーム構成タイプ３において適用される。
【００１８】
フレーム構成タイプ３（ＦＳ３）は、ＬＡＡオペレーション（ＬＡＡセカンダリーセル
オペレーション）に対して適用される。また、ＦＳ３は、ノーマルＣＰのみが適用されてもよい。無線フレームに含まれる１０サブフレームは、下りリンク送信に利用される。端末装置１は、規定されない限り、または、下りリンク送信がそのサブフレームで検出されない限り、いずれかの信号があるサブフレームに存在すると仮定せず、空のサブフレームとして、そのサブフレームを処理する。
【００１９】
下りリンク送信は１つまたは複数の連続するサブフレームを専有する。連続するサブフレームは、最初のサブフレームと最後のサブフレームを含んでもよい。つまり、連続するサブフレームは、少なくとも２つのサブフレームで構成されてもよい。連続するサブフレームは、時間領域において連続する１つよりも多いサブフレームを含む。最初のサブフレームは、そのサブフレームのいずれかのシンボルまたはスロット（例えば、ＯＦＤＭシンボル＃０または＃７）から始まる。また、最後のサブフレームは、フルサブフレーム（つまり、１４ＯＦＤＭシンボル）か、ＤｗＰＴＳ期間の１つに基づいて示されたＯＦＤＭシンボルの数（つまり、ＤｗＰＴＳに対して割り当てられたシンボル数）だけ専有される。ここで、ＤｗＰＴＳは、スペシャルサブフレームに含まれる期間である。ＤｗＰＴＳは、上りリンク送信と下りリンク送信の切り替え等のために用いられてもよい。なお、連続するサブフレームのうち、あるサブフレームが最後のサブフレームであるかどうかは、ＤＣＩフォーマットに含まれる、あるフィールド（つまり、ＤＣＩ）によって、端末装置１に示される。そのフィールドは、さらに、そのフィールドを検出したサブフレーム、または、その次のサブフレームに用いられるＯＦＤＭシンボルの数が示されてもよい。
【００２０】
また、ＦＳ３では、基地局装置３および端末装置１が、関連する下りリンク／上りリンクの送信を行なう前に、所定のチャネルアクセス手順を行なう。つまり、チャネルアクセス手順において、送信側が、送信に用いるチャネルがクリア（アイドル）であると判断した場合、送信側の基地局装置３および／または端末装置１は、送信を行なうことができる。また、チャネルアクセス手順において、送信側が、送信に用いるチャネルがクリアであると判断できない場合（または、チャネルがビジーと判断した場合）、送信側の基地局装置３および／または端末装置１は、送信を行なうことができない。チャネルアクセス手順は、ＬＢＴ（Listen before talk）とも称される。
【００２１】
ＬＡＡセカンダリーセルは、ＬＡＡセルと称されてもよい。上りリンク送信は、１つまたは複数の連続するサブフレームを専有することができる。その際、ＬＡＡセルにおいて下りリンク送信のみをサポートしている端末装置１、および、ＬＡＡセルにおいて下りリンク送信および上りリンク送信をサポートしている端末装置１は、端末装置１の能力情報を送信することによって、自装置がサポートしている通信方式を通知してもよい。
【００２２】
ＦＳ３をサポートしている端末装置１および基地局装置３は、免許不要の周波数帯で通信を行なってもよい。ＦＳ３を用いてＬＡＡを実施するオペレーティングバンドは、ＥＵＴＲＡオペレーティングバンドのテーブルとともに管理されてもよい。例えば、ＥＵＴＲＡオペレーティングバンドのインデックスは、１〜４４で管理され、ＬＡＡ（またはＬＡＡの周波数）に対応するオペレーティングバンドのインデックスは、４６で管理されてもよい。例えば、インデックス４６では、下りリンクの周波数帯のみが規定されてもよい。また、一部のインデックスにおいては、上りリンクの周波数帯が予約または将来規定されるものとして予め確保されてもよい。
【００２３】
また、ＦＳ３を用いてＬＡＡを実施するオペレーティングバンドに対応するデュプレックスモードは、ＴＤＤである。
【００２４】
フレーム構成タイプ３において、物理チャネルは少なくともチャネルアクセス手順に基づき送信されてもよい。また、フレーム構成タイプ３において、物理シグナルは少なくと
もチャネルアクセス手順に基づき送信されてもよい。
【００２５】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、ＲＲＣコネクション再確立（Radio Resource Control connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００２６】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２７】
端末装置１は、集約される複数のサービングセル（コンポーネントキャリア）において、複数の物理チャネル／複数の物理シグナルの同時送信を行うことができる。端末装置１は、集約される複数のサービングセル（コンポーネントキャリア）において、複数の物理チャネル／複数の物理シグナルの同時受信を行うことができる。
【００２８】
端末装置に対してＤＣ（Dual Connectivity）が設定されている場合、ＭＣＧ（Master Cell Group）は全てのサービングセルのサブセットであり、且つ、ＳＣＧ（Secondary Cell Group）はＭＣＧの一部ではないサービングセルのサブセットである。端末装置に対してＤＣが設定されていない場合、ＭＣＧは全てのサービングセルを含む。ＭＣＧは、プライマリーセル、および、０または０より多いセカンダリーセルを含む。ＳＣＧは、プライマリーセカンダリーセル、および、０または０より多いセカンダリーセルを含む。
【００２９】
ＭＣＧは、１つのプライマリーＴＡＧ、および、０または０より多いセカンダリーＴＡＧを含んでもよい。ＳＣＧは、１つのプライマリーＴＡＧ、および、０または０より多いセカンダリーＴＡＧを含んでもよい。
【００３０】
ＴＡＧ（Timing Advance Group）は、ＲＲＣ（Radio Resource Control）によって設定されるサービングセルのグループである。同じＴＡＧに含まれるサービングセルに対して、同じタイミングアドバンスの値が適用される。タイミングアドバンスは、サービングセルにおけるＰＵＳＣＨ／ＰＵＣＣＨ／ＳＲＳ／ＤＭＲＳの送信タイミングを調整するために用いられる。ＭＣＧのプライマリーＴＡＧは、プライマリーセル、および、０または０より多いセカンダリーセルを含んでもよい。ＳＣＧのプライマリーＴＡＧは、プライマリーセカンダリーセル、および、０または０より多いセカンダリーセルを含んでもよい。セカンダリーＴＡＧは、１または１より多いセカンダリーセルを含んでもよい。セカンダリーＴＡＧは、プライマリーセル、および、プライマリーセカンダリーセルを含まない。
【００３１】
図２は、本実施形態の無線フレームの概略構成を示す図である。図２において、横軸は時間軸である。
【００３２】
時間領域における種々のフィールドのサイズは、時間ユニットTs=1/(15000・2048)秒の数によって表現される。無線フレームの長さは、Tf=307200・Ts=10ms (ミリ秒)である。
それぞれの無線フレームは、時間領域において連続する１０のサブフレームを含む。それぞれのサブフレームの長さは、Tsubframe=30720・Ts=1msである。それぞれのサブフレー
ムｉは、時間領域において連続する２つのスロットを含む。該時間領域において連続する２つのスロットは、無線フレーム内のスロット番号nsが２ｉのスロット、および、無線フ
レーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。サブフレームを、ＴＴＩ（Transmission Time Interval）とも称する。
【００３３】
以下、本実施形態のスロットの構成について説明する。図３は、本実施形態の上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡ（Single Carrier-Frequency Division Multiple Access
）シンボル番号／インデックスであり、ｋはサブキャリア番号／インデックスである。
【００３４】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００３５】
リソースグリッドは、アンテナポート毎に定義される。本実施形態では、１つのアンテナポートに対する説明を行う。複数のアンテナポートのそれぞれに対して、本実施形態が適用されてもよい。
【００３６】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。ノーマルＣＰ（normal Cyclic Prefix）に対して、NULsymbは７で
ある。拡張ＣＰ（extended Cyclic Prefix）に対して、NULsymbは６である。
【００３７】
上りリンクスロットは、周波数領域において、複数のサブキャリアｋ（k=0,1,…,NULRB
×NRBsc)を含む。NULRBは、NRBscの倍数によって表現される、サービングセルに対する
上りリンク帯域幅設定である。NRBscは、サブキャリアの数によって表現される、周波数
領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００３８】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００３９】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて同じであるため、下りリンクのスロットの構成の説明は省略する。
【００４０】
本実施形態の物理チャネルおよび物理シグナルについて説明する。
【００４１】
図１において、端末装置１から基地局装置３への上りリンクの無線通信では、以下の上りリンク物理チャネルが用いられる。上りリンク物理チャネルは、上位層から出力された情報を送信するために、物理層によって使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００４２】
ＰＵＣＣＨは、上りリンク制御情報（Uplink Control Information: UCI）を送信する
ために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＨＡＲＱフィードバック、ＨＡＲ
Ｑ情報、ＨＡＲＱ制御情報、および、ＡＣＫ／ＮＡＣＫとも称する。
【００４３】
ＣＳＩは、チャネル品質指標（CQI: Channel Quality Indicator）とランク指標（RI: Rank Indicator）を含む。チャネル品質指標は、プレコーダ行列指標（Precoder Matrix Indicator）をさらに含んでもよい。ＣＱＩは、チャネル品質（伝搬強度）に関連する指
標であり、ＰＭＩは、プレコーダを指示する指標である。ＲＩは、送信ランクを指示する指標である。
【００４４】
ＰＵＳＣＨは、上りリンクデータ（Uplink-Shared Channel: UL-SCH）を送信するため
に用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００４５】
ＰＲＡＣＨは、ランダムアクセスプリアンブル（ランダムアクセスメッセージ１）を送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整
）、およびＰＵＳＣＨ（ＵＬ−ＳＣＨ）リソースの要求を示すために用いられる。
【００４６】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成される。１つのセルにおいて、複数のランダムアクセスプリアンブルが定義されてもよい。ランダムアクセスプリアンブルは、ランダムアクセスプリアンブルのインデックスによって特定されてもよい。ランダムアクセスプリアンブルの異なるインデックスに対応する異なるランダムアクセスプリアンブルは、物理ルートシーケンスインデックスｕとサイクリックシフトの異なる組み合わせに対応する。物理ルートシーケンスインデックスｕ、および、サイクリックシフトは、システムインフォメーションに含まれる情報に少なくとも基づいて与えられてもよい。
【００４７】
物理ルートシーケンスインデックスｕに対応するＺａｄｏｆｆ−Ｃｈｕ系列ｘｕ（ｎ）は、以下の数式（１）によって与えられる。ｅはネイピア数である。ＮＺＣは、Ｚａｄｏｆｆ−Ｃｈｕ系列ｘｕ（ｎ）の長さである。ｎは、０からＮＺＣ−１までインクリメントされる整数である。
【００４８】
【数１】
2020057822.tif 000003
【００４９】
ランダムアクセスプリアンブル（ランダムアクセスプリアンブルの系列）ｘｕ，ｖ（ｎ）は以下の数式（２）によって与えられる。Ｃｖは、サイクリックシフトの値である。Ｘ
ｍｏｄ  Ｙは、ＸをＹで割ったときの余りを出力する関数である。
【００５０】
【数２】
2020057822.tif 000004
【００５１】
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
【００５２】
本実施形態において、以下の２つのタイプの上りリンク参照信号が用いられる。
・ＤＭＲＳ（Demodulation Reference Signal）
・ＳＲＳ（Sounding Reference Signal）
【００５３】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００５４】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおけるサブフレームの最後のＳＣ−ＦＤＭＡシンボル、または、ＵｐＰＴＳにおけるＳＣ−ＦＤＭＡシンボルにおいて送信される。
【００５５】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００５６】
ＰＢＣＨは、端末装置１で共通に用いられるマスターインフォメーションブロック（Master Information Block: MIB, Broadcast Channel: BCH）を報知するために用いられる
。ＭＩＢは、４０ms間隔で送信され、ＭＩＢは１０ｍｓ周期で繰り返し送信される。具体的には、SFN mod 4 = 0を満たす無線フレームにおけるサブフレーム０においてＭＩＢの
初期送信が行なわれ、他の全ての無線フレームにおけるサブフレーム０においてＭＩＢの再送信（repetition）が行なわれる。ＳＦＮ（system frame number）は無線フレームの
番号である。ＭＩＢはシステム情報である。例えば、ＭＩＢは、ＳＦＮを示す情報を含む。
【００５７】
ＰＣＦＩＣＨは、ＰＤＣＣＨの送信に用いられる領域（ＯＦＤＭシンボル）を指示する情報を送信するために用いられる。
【００５８】
ＰＨＩＣＨは、基地局装置３が受信した上りリンクデータ（Uplink Shared Channel: UL-SCH）に対するＨＡＲＱインディケータを送信するために用いられる。ＨＡＲＱインデ
ィケータは、ＨＡＲＱ−ＡＣＫを示す。
【００５９】
ＰＤＣＣＨおよびＥＰＤＣＣＨは、下りリンク制御情報（Downlink Control Information: DCI）を送信するために用いられる。下りリンク制御情報を、ＤＣＩフォーマットと
も称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００６０】
１つの下りリンクグラントは、１つのサービングセル内の１つのＰＤＳＣＨのスケジューリングに用いられる。下りリンクグラントは、該下りリンクグラントが送信されたサブフレームと同じサブフレーム内のＰＤＳＣＨのスケジューリングに用いられる。
【００６１】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００６２】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ
Ｃ−ＲＮＴＩ、ＳＰＳ（Semi Persistent Scheduling）Ｃ−ＲＮＴＩ、ＲＡ−ＲＮＴＩ（Random Access-Radio Network Temporary Identifier）によってスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセスプロシージャの間に用いられる。ＲＡ−ＲＮＴＩは、ランダムアクセスレスポンスのスケジューリングのために用いられる。ＲＮＴＩによってスクランブルされたＣＲＣパリティビットが付加された上りリンクグラントを、ＲＮＴＩに対する上りリンクグラント、ＲＮＴＩに対応する上りリンクグラントとも称する。ＲＮＴＩによってスクランブルされたＣＲＣパリティビットが付加された上りリンクグラントを含むＰＤＣＣＨを、ＲＮＴＩに対するＰＤＣＣＨ、ＲＮＴＩに対応するＰＤＣＣＨ、ＲＮＴＩ宛てのＰＤＣＣＨ、ＲＮＴＩを含むＰＤＣＣＨとも称する。
【００６３】
Ｃ−ＲＮＴＩは、１つのサブフレームにおけるＰＤＳＣＨまたはＰＵＳＣＨを制御するために用いられる。端末装置１は、Ｃ−ＲＮＴＩによってスクランブルされたＣＲＣパリティビットが付加される上りリンクグラントを含むＰＤＣＣＨの検出に基づいて、トランスポートブロックを含むＰＵＳＣＨを送信してもよい。該トランスポートブロックの再送信は、Ｃ−ＲＮＴＩによってスクランブルされたＣＲＣパリティビットが付加される上りリンクグラントを含むＰＤＣＣＨによって指示されてもよい。
【００６４】
ＳＰＳ  Ｃ−ＲＮＴＩは、ＰＤＳＣＨまたはＰＵＳＣＨのリソースを周期的に割り当てるために用いられる。端末装置１は、ＳＰＳ  Ｃ−ＲＮＴＩによってスクランブルされたＣＲＣパリティビットが付加される上りリンクグラントを含むＰＤＣＣＨの検出し、該上りリンクグラントがＳＰＳ活性化コマンドとして有効であると判断された場合、該上りリンクグラントを設定された上りリンクグラント（configured uplink grant）としてスト
アする。端末装置１のＭＡＣ層は、該設定された上りリンクグラントが周期的に発生するとみなす。該設定された上りリンクグラントが発生するとみなされるサブフレームは、第１の周期と第１のオフセットによって与えられる。端末装置１は、基地局装置３から、該第１の周期を示す情報を受信する。該周期的に割り当てられるＰＵＳＣＨで送信されたトランスポートブロックの再送信は、ＳＰＳ  Ｃ−ＲＮＴＩによってスクランブルされたＣＲＣパリティビットが付加される上りリンクグラントによって指示される。該設定された上りリンクグラントを、ＭＡＣ（Medium Access Control）によって設定された上りリン
クグラント、または、第１の設定された上りリンクグラントとも称する。
【００６５】
ＰＤＳＣＨは、下りリンクデータ（Downlink Shared Channel: DL-SCH）を送信するた
めに用いられる。ＰＤＳＣＨは、ランダムアクセスメッセージ２（ランダムアクセスレスポンス）を送信するために用いられる。ＰＤＳＣＨは、ハンドオーバコマンドを送信するために用いられる。ＰＤＳＣＨは、初期アクセスのために用いられるパラメータを含むシステム情報を送信するために用いられる。
【００６６】
ＰＭＣＨは、マルチキャストデータ（Multicast Channel: MCH）を送信するために用いられる。
【００６７】
図１において、下りリンクの無線通信では、以下の下りリンク物理シグナルが用いられる。下りリンク物理シグナルは、上位層から出力された情報を送信するために使用されないが、物理層によって使用される。
・同期信号（Synchronization signal: SS）
・下りリンク参照信号（Downlink Reference Signal: DL RS）
【００６８】
同期信号は、端末装置１が下りリンクの周波数領域および時間領域の同期をとるために用いられる。同期信号は、ＰＳＳ（Primary Synchronization Signal）、および、ＳＳＳ（Second Synchronization Signal）を含む。
【００６９】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００７０】
本実施形態において、以下の７つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００７１】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００７２】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００７３】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control
message、RRC information: Radio Resource Control informationとも称される）を送
受信してもよい。また、基地局装置３と端末装置１は、媒体アクセス制御（MAC: Medium Access Control）層において、ＭＡＣ  ＣＥ（Control Element）を送受信してもよい。
ここで、ＲＲＣシグナリング、および／または、ＭＡＣ  ＣＥを、上位層の信号（higher
layer signaling）とも称する。
【００７４】
ＰＵＳＣＨおよびＰＤＳＣＨは、ＲＲＣシグナリング、および、ＭＡＣ  ＣＥを送信するために用いられる。ここで、基地局装置３からＰＤＳＣＨで送信されるＲＲＣシグナリングは、セル内における複数の端末装置１に対して共通のシグナリングであってもよい。基地局装置３からＰＤＳＣＨで送信されるＲＲＣシグナリングは、ある端末装置１に対して専用のシグナリング（dedicated signalingまたはUE specific signalingとも称する）であってもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。
【００７５】
以下、本実施形態における装置の構成について説明する。
【００７６】
図４は、本実施形態の端末装置１の構成を示す概略ブロック図である。図示するように、端末装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【００７７】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【００７８】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。
【００７９】
上位層処理部１０１が備えるスケジューリング部１０１３は、受信部１０５を介して受信した下りリンク制御情報を記憶する。スケジューリング部１０１３は、上りリンクグラントを受信したサブフレームから４つ、または３つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従ってＰＤＳＣＨを受信するよう、制御部１０３を介して受信部１０５を制御する。
【００８０】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００８１】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００８２】
無線受信部１０５７は、送受信アンテナ１０９を介して受信した下りリンクの信号を直交復調し、直交復調されたアナログ信号をディジタル信号に変換する。無線受信部１０５７は、ディジタル信号に対して高速フーリエ変換（Fast Fourier Transform: FFT）を行
い、周波数領域の信号を抽出する。無線受信部１０５７は、周波数領域の信号を多重分離部１０５５に出力する。ここで、周波数領域の信号は、サブキャリアインデックスｋ、および、シンボルインデックスｌに対応する複素数値シンボルとして表現される。
【００８３】
多重分離部１０５５は、無線受信部１０５７より入力される周波数領域の信号を、ＰＤＣＣＨ、ＰＤＳＣＨ、および下りリンク参照信号に分離する。多重分離部１０５５は、分離した下りリンク参照信号をチャネル測定部１０５９に出力する。また、多重分離部１０５５は、分離したＰＤＣＣＨおよびＰＤＳＣＨを復調部１０５３に出力する。
【００８４】
復調部１０５３は、ＰＤＣＣＨ、および、ＰＤＳＣＨに対して、ＱＰＳＫ、１６ＱＡＭ（Quadrature Amplitude Modulation）、６４ＱＡＭ等の変調方式に対する復調を行ない
、復号化部１０５１へ出力する。
【００８５】
復号化部１０５１は、下りリンクデータの復号を行い、復号した下りリンクデータを上位層処理部１０１へ出力する。チャネル測定部１０５９は、下りリンク参照信号から下りリンクの伝搬路の推定値を算出し、多重分離部１０５５へ出力する。チャネル測定部１０５９は、チャネル状態情報を算出し、尚且つ、チャネル状態情報を上位層処理部１０１へ
出力する。
【００８６】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および、上りリンク参照信号を多重し、送受信アンテナ１０９を介して基地局装置３に送信する。
【００８７】
送信部１０７において、ＰＵＳＣＨの送信に用いられるＯＦＤＭシンボルの数は、少なくともランダムアクセス手順に基づき与えられてもよい。また、ＰＵＳＣＨの送信に用いられるＯＦＤＭシンボルの数は、少なくとも、ＰＵＳＣＨ送信が対応するランダムアクセス手順のタイプ／フォームに基づき与えられてもよい。また、ＰＵＳＣＨの送信に用いられるＯＦＤＭシンボルの数は、少なくともランダムアクセスプリアンブルのフォーマットに基づき与えられてもよい。また、ＰＵＳＣＨの送信に用いられるＯＦＤＭシンボルの数は、ランダムアクセスプリアンブルのフォーマットごとに与えられてもよい。また、ＰＵＳＣＨの送信に用いられるＯＦＤＭシンボルの数は、上位層の信号に少なくとも基づき与えられてもよい。ランダムアクセス手順のタイプ／フォームの説明は後述する。
【００８８】
符号化部１０７１は、上位層処理部１０１から入力された上りリンク制御情報と上りリンクデータを符号化し、符号化ビットをＰＵＳＣＨ生成部１０７３および／またはＰＵＣＣＨ生成部１０７５に出力する。
【００８９】
符号化部１０７１は、上りリンクデータを符号化し、符号化ビット系列を生成する。また、符号化部１０７１は、ＰＵＳＣＨ初期送信のためのＳＣ−ＦＤＭＡシンボル数NPUSCH-initialsymbを計算する。ここで、ＰＵＳＣＨ初期送信とは、符号化ビット系列を含むトランスポートブロックの初期送信のために用いられるＰＵＳＣＨを示す。また、符号化部１０７１は、該ＳＣ−ＦＤＭＡシンボル数NPUSCH-initialsymbに少なくとも基づき、符号化ビット系列をインターリーブ（順序変更、配置換え、並び替え）して第１の系列を生成する。第１の系列は、ＰＵＳＣＨ生成部１０７３に入力される。ここで、ＰＵＳＣＨの初期送信のためのＳＣ−ＦＤＭＡシンボル数NPUSCH-initialsymbの計算方法は後述される。
【００９０】
ここで、符号化ビット系列のインターリーブは、符号化ビット系列の並び替えを行うことであってもよい。符号化ビット系列の並び替えは、少なくともＰＵＳＣＨ初期送信のためのＳＣ−ＦＤＭＡシンボル数に基づき与えられてもよい。ここで、該符号化ビット系列のインターリーブのために、行列（matrix）が用いられてもよい。行列の列はＳＣ−ＦＤＭＡシンボルに対応している。行列の１つのエレメントは、１つの符号化変調シンボルに対応している。符号化変調シンボルはＸ個の符号化ビットのグループである。Ｘは、トランスポートブロック（上りリンクデータ）に対する変調次数（modulation order Qm）で
ある。１つの符号化変調シンボルから、１つの複素数値シンボルが生成される。
【００９１】
図５は、本実施形態の符号化部１０７１による符号化ビット系列のインターリーブの例を示した図である。図５に示す一例において、縦軸（または、行列の行）は、サブキャリア数に対応する軸である。例えば、行数Rrowは、Rrow=Htotal/Cmuxで与えられる。ここで、Htotalは、Htotal=H1+QRIによって与えられる。ここで、H1は、第１の系列における符
号化変調シンボルの数である。ＰＵＳＣＨでＣＱＩが送信される場合、H1は、第１の系列における符号化変調シンボルの数とＣＱＩの符号化ビット系列のための符号化変調シンボルの数の和により与えられてもよい。また、QRIは、ＲＩの符号化ビット系列の符号化変
調シンボルの数である。ＰＵＳＣＨでＲＩが送信されない場合、QRI=0である。また、第
１の系列に対応するトランスポートブロックの送信のために用いられるレイヤ数がNLの場合、行数Rrowは、Rrow=NL*Htotal/Cmuxで与えられる。ここで、Cmuxは、Cmux=NPUSCHsymbで与えられる。また、ＰＵＳＣＨのＳＣ−ＦＤＭＡシンボルの数NPUSCHsymbは、NPUSCHsy
mb＝NPUSCH-initialsymbで与えられる。図５に示す一例では、Cmux=12の例を示している
。
【００９２】
図５において、まず、符号化ビット系列は、Ｘ個の符号化ビットのグループごとに、実線で示される向きに（行単位に）マップされる。ここで、マップすることは、書き出すこと（Write）であってもよい。次いで、Ｘ個の符号化ビットのグループごとにマップされ
た系列は、点線で示される向きに（列単位に）出力され、第１の系列が生成される。ここで、出力することは、読み出すこと（Read）であってもよい。
【００９３】
ＰＵＳＣＨ生成部１０７３において、図５のそれぞれのエレメントに配置されるＸ個の符号化ビットのグループにより形成される符号化変調シンボルが所定の変調方式に基づき変調されることにより、１つの複素数値シンボルが生成される。また、ＰＵＳＣＨ生成部１０７３において、図５の各列に対応する複数の複素数値シンボルは、ともに離散フーリエ変換（Transform Precoding）され、第２の系列が生成される。第２の系列は、多重部
１０７７に出力される。
【００９４】
ＰＵＣＣＨ生成部１０７５は、符号化部１０７１から入力された上りリンク制御情報（ＨＡＲＱ−ＡＣＫ、ＣＱＩ、ＲＩ等）の符号化ビットに基づいて、ＰＵＣＣＨの信号を生成し、生成したＰＵＣＣＨの信号を多重部１０７７へ出力する。
【００９５】
上りリンク参照信号生成部１０７１１は上りリンク参照信号を生成し、生成した上りリンク参照信号を多重部１０７７へ出力する。
【００９６】
多重部１０７７は、制御部１０３から入力された制御信号に従って、ＰＵＳＣＨ生成部１０７３から入力された信号、および／または、ＰＵＣＣＨ生成部１０７５から入力された信号、および／または、上りリンク参照信号生成部１０７１１から入力された上りリンク参照信号を、送信アンテナポート毎に上りリンクのリソースエレメントに多重する。多重部１０７７は、多重された信号を無線送信部１０７９に入力する。
【００９７】
図６は、本実施形態の多重部１０７７がＰＵＳＣＨ生成部１０７３から入力される第２の系列のリソースマッピングの一例を示す図である。図６において、縦軸は周波数（サブキャリアインデックス  ｋ）を示し、横軸は時間（シンボルインデックス  ｌ）を示す。また、第２の系列は、点線の矢印に示されるように、各リソースエレメントに列単位でマップされる。つまり、第２の系列は、リソースエレメントに周波数方向にマップされる（Frequency first mapping）。ここで、第２の系列がマップされるリソースエレメントは
、少なくともＰＵＳＣＨの送信のために割り当てられるリソースブロックに含まれるリソースエレメントである。また、第２の系列は、ＰＵＳＣＨの送信のために割り当てられるリソースブロックに含まれ、かつ、所定の条件を満たすリソースエレメントにマップされなくてもよい。例えば、図６において、斜線で示されるリソースエレメントにＤＭＲＳがマップされる場合、第２の系列は斜線で示されるリソースエレメントにマップされない。また、図６において、格子線で示されるリソースエレメントにＳＲＳがマップされる場合、第２の系列は格子線で示されるリソースエレメントにマップされない。第２の系列がリソースエレメントにマップされる具体的な方法は後述される。
【００９８】
無線送信部１０７９は、多重された信号を逆高速フーリエ変換（Inverse Fast Fourier
Transform: IFFT）して、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００９９】
図７は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１００】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１０１】
上位層処理部３０１が備える無線リソース制御部３０１１は、ＰＤＳＣＨに配置される下りリンクデータ、ＲＲＣシグナル、ＭＡＣ  ＣＥ（Control Element）を生成し、又は
上位ノードから取得し、スケジューリング部３０１３に出力する。また、無線リソース制御部３０１１は、端末装置１各々の各種設定情報の管理を行う。例えば、無線リソース制御部３０１１は、端末装置１に設定したサービングセルの管理などを行なう。
【０１０２】
上位層処理部３０１が備えるスケジューリング部３０１３は、端末装置１に割り当てるＰＵＳＣＨやＰＵＣＣＨの無線リソースの管理を行う。スケジューリング部３０１３は、端末装置１にＰＵＳＣＨの無線リソースを割り当てた場合には、ＰＵＳＣＨの無線リソースの割り当てを示す上りリンクグラントを生成し、生成した上りリンクグラントを送信部３０７へ出力する。
【０１０３】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１０４】
受信部３０５は、制御部３０３から入力された制御信号に従って、送受信アンテナ３０９を介して端末装置１から受信した受信信号を分離、復調、復号し、復号した情報を上位層処理部３０１に出力する。
【０１０５】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【０１０６】
多重分離部３０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨ／ｓＰＵＣＣＨとＰＵＳＣＨ／ｓＰＵＳＣＨの伝搬路の補償を行なう。また、多重分離部３０５５は、分離した上りリンク参照信号をチャネル測定部３０５９に出力する。
【０１０７】
多重分離部３０５５が無線受信部３０５７から入力された信号をＰＵＣＣＨ、ＰＵＳＣＨ、上りリンク参照信号などの信号に分離する方法は、端末装置１が備える多重部１０７７のリソースマッピングの方法に対応するため、説明を省略する。
【０１０８】
多重分離部３０５５は、分離したＰＵＣＣＨとＰＵＳＣＨの信号から、上りリンクデータの複素数値シンボルと上りリンク制御情報の複素数値シンボルを取得する。多重分離部３０５５は、ＰＵＳＣＨの信号から取得した上りリンクデータの複素数値シンボルをデータ復調／復号部３０５１へ出力する。多重分離部３０５５は、ＰＵＣＣＨの信号またはＰＵＳＣＨの信号から取得した上りリンク制御情報の複素数値シンボルを制御情報復調／復号部３０５３へ出力する。
【０１０９】
チャネル測定部３０５９は、多重分離部３０５５から入力された上りリンク参照信号から伝搬路の推定値、チャネルの品質などを測定し、多重分離部３０５５および上位層処理部３０１に出力する。
【０１１０】
データ復調／復号部３０５１は、多重分離部３０５５から入力された上りリンクデータの複素数値シンボルから上りリンクデータを復号する。データ復調／復号部３０５１は、復号された上りリンクデータを上位層処理部３０１へ出力する。
【０１１１】
データ復調／復号部３０５１が多重分離部３０５５から入力された上りリンクデータの複素数値シンボルから上りリンクデータを復号する方法は、端末装置１が備える符号化部１０７１の動作に対応するため、説明を省略する。
【０１１２】
制御情報復調／復号部３０５３は、多重分離部３０５５から入力された上りリンク制御情報の複素数値シンボルから上りリンク制御情報を復号する。制御情報復調／復号部３０５３は、復号した上りリンク制御情報を上位層処理部３０１へ出力する。
【０１１３】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ＰＤＳＣＨ、および下りリンク参照信号を多重して、送受信アンテナ３０９を介して端末装置１に信号を送信する。
【０１１４】
符号化部３０７１は、上位層処理部３０１から入力された下りリンク制御情報、および、下りリンクデータの符号化を行なう。変調部３０７３は、符号化部３０７１から入力された符号化ビットをＱＰＳＫ、１６ＱＡＭ、６４ＱＡＭ等の変調方式で変調する。
【０１１５】
下りリンク参照信号生成部３０７９は下りリンク参照信号として生成する。多重部３０７５は、各チャネルの変調シンボルと下りリンク参照信号を多重する。
【０１１６】
無線送信部３０７７は、多重された変調シンボルなどを逆高速フーリエ変換（Inverse Fast Fourier Transform: IFFT）して、ＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up
convert）し、余分な周波数成分を除去し、電力増幅し、送受信アンテナ３０９に出力して送信する。
【０１１７】
以下、ランダムアクセス手順について詳しく説明をする。ランダムアクセス手順は、コンテンションベースランダムアクセス手順（contention based random access procedure）、および、非コンテンションベースランダムアクセス手順（non-contention based ran
dom access procedure）を含む。コンテンションベースランダムアクセス手順は、２ステップコンテンションベースランダムアクセス手順（2 step contention based random access procedure）、および、４ステップコンテンションベースランダムアクセス手順（4 step contention based random access procedure）を含む。すなわち、ランダムアクセス手順のタイプ／フォームは、２ステップコンテンションベース、４ステップコンテンションベース、および、非コンテンションベースを含んでもよい。
【０１１８】
図８は、本実施形態における４ステップコンテンションベースランダムアクセス手順の一例を示す図である。４ステップコンテンションベースランダムアクセス手順は、第１のステップ（６００）、第２のステップ（６０２）、第３のステップ（６０４）、および、第４のステップ（６０６）を含む。
【０１１９】
第１のステップ（６００）において、端末装置１は、ランダムアクセスプリアンブルを送信する。ランダムアクセスプリアンブルは、ＰＲＡＣＨに含まれる。第１のステップ（６００）において、端末装置１のＭＡＣ層自身が、ランダムアクセスプリアンブルのインデックスを選択する。すなわち、第１のステップ（６００）において、基地局装置３は、ランダムアクセスプリアンブルのインデックスを端末装置１に通知しない。
【０１２０】
第２のステップ（６０２）において、端末装置１は、ランダムアクセスレスポンスを受信する。ランダムアクセスレスポンスは、ＰＤＳＣＨに含まれる。ここで、ランダムアクセスレスポンスを含むＰＤＳＣＨのスケジューリングのために、ＲＡ−ＲＮＴＩに対するＰＤＣＣＨが用いられる。ＲＡ−ＲＮＴＩの値は、第１のステップ（６００）においてランダムアクセスプリアンブルの送信のために用いられるＰＲＡＣＨのリソースに基づいて与えられてもよい。ランダムアクセスレスポンスは、ランダムアクセスプリアンブルのインデックスを示すランダムアクセスプリアンブル識別子、上りリンクグラント、Ｔｅｍｐｏｒａｒｙ  Ｃ−ＲＮＴＩを示す情報、および、タイミングアドバンスを示す情報を含む。端末装置１は、ランダムアクセスレスポンスが、第１のステップ（６００）において送信されたランダムアクセスプリアンブルに対応するランダムアクセスプリアンブル識別子を含んでいる場合、ランダムアクセスレスポンスの受信に成功したとみなす。
【０１２１】
第３のステップ（６０４）において、端末装置１は、端末装置１の識別子を送信する。ここで、端末装置１の識別子はＣ−ＲＮＴＩであってもよい。端末装置１の識別子、または、Ｃ−ＲＮＴＩは、ＰＵＳＣＨに含まれる。ここで、端末装置１の識別子、または、Ｃ−ＲＮＴＩに対するＰＵＳＣＨは、ランダムアクセスレスポンスに含まれる上りリンクグラントによってスケジュールされる。
【０１２２】
第４のステップ（６０６）において、端末装置１は、コンテンションリゾリューションを受信する。コンテンションリゾリューションは、ＵＥコンテンションリゾリューション識別子、または、Ｃ−ＲＮＴＩであってもよい。端末装置１が第３のステップ（６０４）のＰＵＳＣＨにおいてＣ−ＲＮＴＩを送信しており、且つ、端末装置１がＣ−ＲＮＴＩに対するＰＤＣＣＨを受信した場合、端末装置１はコンテンションリゾリューションに成功したとみなしてもよく、且つ、ランダムアクセス手順が成功裏に完了したとみなしてもよい。
【０１２３】
ＵＥコンテンションリゾリューション識別子を示す情報は、ＰＤＳＣＨに含まれる。ここで、当該ＰＤＳＣＨのスケジューリングのために、Ｔｅｍｐｏｒａｒｙ  Ｃ−ＲＮＴＩに対するＰＤＣＣＨが用いられる。（ｉ）端末装置１が第３のステップ（６０４）のＰＵＳＣＨにおいてＣ−ＲＮＴＩを送信していない、且つ、（ｉｉ）端末装置１が第３のステップ（６０４）のＰＵＳＣＨにおいて端末装置１の識別子を送信している、且つ、（ｉｉｉ）端末装置１がＴｅｍｐｏｒａｒｙ  Ｃ−ＲＮＴＩに対するＰＤＣＣＨを受信し、且つ
、（ｉｖ）当該ＰＤＣＣＨによってスケジュールされるＰＤＳＣＨにＵＥコンテンションリゾリューション識別子を示す情報が含まれ、且つ、（ｖ）当該ＵＥコンテンションリゾリューション識別子と第３のステップ（６０４）において送信された端末装置１の識別子がマッチする場合、端末装置１はコンテンションリゾリューションに成功したとみなしてもよく、且つ、ランダムアクセス手順が成功裏に完了したとみなしてもよい。
【０１２４】
図９は、本実施形態における２ステップコンテンションベースランダムアクセス手順の一例を示す図である。２ステップコンテンションベースランダムアクセス手順は、第１のステップ（７００）、および、第２のステップ（７０２）を含む。
【０１２５】
第１のステップ（７００）において、ランダムアクセスプリアンブルと端末装置１の識別子を送信する。ここで、端末装置１の識別子はＣ−ＲＮＴＩであってもよい。ランダムアクセスプリアンブルは、ＰＲＡＣＨに含まれてもよい。端末装置１の識別子は、ＰＵＳＣＨに含まれてもよい。ランダムアクセスプリアンブルと端末装置１の識別子は、同じ１つの物理チャネルに含まれてもよい。第１のステップ（７００）において、端末装置１のＭＡＣ層自身が、ランダムアクセスプリアンブルのインデックスを選択する。すなわち、第１のステップ（７００）において、基地局装置３は、ランダムアクセスプリアンブルのインデックスを端末装置１に通知しない。
【０１２６】
第１のステップ（７００）で端末装置１の識別子の送信のためにＰＲＡＣＨ以外の追加されたチャネルが少なくとも用いられる場合、該追加されたチャネルは、ＰＵＳＣＨとも称される。つまり、ＰＵＳＣＨは、第１のステップ（７００）で端末装置１の識別子の送信のために少なくとも用いられるＰＲＡＣＨ以外のチャネルであってもよい。
【０１２７】
２ステップコンテンションベースランダムアクセス手順において、端末装置１の識別子の送信のためにＰＲＡＣＨ以外の追加されたチャネルが少なくとも用いられる場合、該追加されたチャネルは、ＰＵＳＣＨとも称される。つまり、２ステップコンテンションベースランダムアクセス手順において、ＰＵＳＣＨは端末装置１の識別子の送信のために少なくとも用いられるＰＲＡＣＨ以外のチャネルであってもよい。
【０１２８】
第２のステップ（７０２）において、端末装置１は、コンテンションリゾリューションを受信する。コンテンションリゾリューションは、ＵＥコンテンションリゾリューション識別子、または、Ｃ−ＲＮＴＩであってもよい。端末装置１が第１のステップ（７００）においてＣ−ＲＮＴＩを送信しており、且つ、端末装置１がＣ−ＲＮＴＩを含むＰＤＣＣＨを受信した場合、端末装置１はコンテンションリゾリューションに成功したとみなしてもよく、且つ、ランダムアクセス手順が成功裏に完了したとみなしてもよい。
【０１２９】
ＵＥコンテンションリゾリューション識別子は、ＰＤＳＣＨに含まれる。ここで、当該ＰＤＳＣＨのスケジューリングのために、Ｘ−ＲＮＴＩによってスクランブルされたＣＲＣが付加されたＤＣＩフォーマットが用いられてもよい。Ｘ−ＲＮＴＩは、第１のステップ（７００）においてランダムアクセスプリアンブルの送信のために用いられるリソース（ＰＲＡＣＨのリソース）、および／または、端末装置１の識別子の送信のために用いられるリソース（ＰＵＳＣＨのリソース）に少なくとも基づいて与えられてもよい。Ｘ−ＲＮＴＩは、ＲＡ−ＲＮＴＩであってもよい。
【０１３０】
（ｉ）端末装置１が第１のステップ（７００）においてＣ−ＲＮＴＩを送信していない、且つ、（ｉｉ）端末装置１が第１のステップ（７００）において端末装置１の識別子を送信している、且つ、（ｉｉｉ）端末装置１がＸ−ＲＮＴＩに対するＰＤＣＣＨを受信し、且つ、（ｉｖ）当該ＰＤＣＣＨによってスケジュールされるＰＤＳＣＨにＵＥコンテンションリゾリューション識別子を示す情報が含まれ、且つ、（ｖ）当該ＵＥコンテンショ
ンリゾリューション識別子と第１のステップ（７００）において送信された端末装置１の識別子がマッチする場合、端末装置１はコンテンションリゾリューションに成功したとみなしてもよく、且つ、ランダムアクセス手順が成功裏に完了したとみなしてもよい。Ｘ−ＲＮＴＩに対するＰＤＣＣＨによってスケジュールされるＰＤＳＣＨは、上りリンクグラント、Ｃ−ＲＮＴＩを示す情報、および、タイミングアドバンスを示す情報の一部、または、全部を含んでもよい。Ｘ−ＲＮＴＩに対するＰＤＣＣＨによってスケジュールされるＰＤＳＣＨは、ランダムアクセスプリアンブルのインデックスを示す情報を含まなくてもよい。ここで、端末装置１は、Ｃ−ＲＮＴＩを、Ｃ−ＲＮＴＩを示す情報の値にセットしてもよい。
【０１３１】
図１０は、本実施形態における２ステップコンテンションベースランダムアクセス手順の変形例を示す図である。２ステップコンテンションベースランダムアクセス手順の変形例は、第１のステップ（８００）、第２のステップ（８０２）、第３のステップ（８０４）、および、第４のステップ（８０６）を含む。第１のステップ（８００）は、第１のステップ（７００）と同じである。第２のステップ（８０２）は第２のステップ（６０２）と同じである。第３のステップ（８０４）は、第３のステップ（６０４）と同じである。第４のステップ（８０６）は、第４のステップ（６０６）と同じである。すなわち、２ステップランダムアクセス手順の第１のステップの後に、２ステップコンテンションベースランダムアクセス手順から４ステップコンテンションベースランダムアクセス手順に移行してもよい。
【０１３２】
第１のステップ（８００）において基地局装置３がランダムアクセスプリアンブルを検出し、且つ、端末装置１の識別子を検出できなかった場合、第２のステップ（８０２）において基地局装置３はランダムアクセスレスポンスを送信する。すなわち、２ステップランダムアクセス手順の第１のステップにおいて、基地局装置３がランダムアクセスプリアンブルを検出し、且つ、端末装置１の識別子を検出できなかった場合、基地局装置３によって４ステップランダムアクセス手順の第２のステップが開始されてもよい。２ステップランダムアクセス手順の第１のステップにおいて、基地局装置３がランダムアクセスプリアンブル、および、端末装置１の識別子を検出した場合、基地局装置３によって２ステップランダムアクセス手順の第２のステップが開始されてもよい。
【０１３３】
端末装置１は、２ステップコンテンションベースランダムアクセス手順の第１のステップ（７００、８００）の後、第２のステップ（７０２）のコンテンションリゾリューション、および、第２のステップ（８０２）のランダムアクセスレスポンスをモニタしてもよい。すなわち、第２のステップ（７０２、８０２）において、端末装置１は、ランダムアクセスレスポンスに関連するＰＤＣＣＨ、および、コンテンションリゾリューションに関連するＰＤＣＣＨをモニタしてもよい。ランダムアクセスレスポンスに関連するＰＤＣＣＨは、ＲＡ−ＲＮＴＩに対するＰＤＣＣＨであってもよい。コンテンションリゾリューションに関連するＰＤＣＣＨは、Ｘ−ＲＮＴＩに対するＰＤＣＣＨであってもよい。
【０１３４】
端末装置１は、４ステップコンテンションベースランダムアクセス手順の第１のステップ（６００）の後、第２のステップ（６０２）のランダムアクセスレスポンスをモニタしてもよい。すなわち、第２のステップ（６０２）において、端末装置１はランダムアクセスレスポンスに関連するＰＤＣＣＨをモニタしてもよい。第２のステップ（６０２）において、端末装置１はコンテンションリゾリューションをモニタしなくてもよい。すなわち、第２のステップ（６０２）において、端末装置１はコンテンションリゾリューションに関連するＰＤＣＣＨをモニタしなくてもよい。
【０１３５】
図１１は、本実施形態における非コンテンションベースランダムアクセス手順の一例を示す図である。非コンテンションベースランダムアクセス手順は、第０のステップ（９０
０）、第１のステップ（９０２）、および、第２のステップ（９０４）を含む。
【０１３６】
第０のステップ（９００）において、端末装置１は、ランダムアクセスプリアンブルの割り当てを受信する。ランダムアクセスプリアンブルの割り当ては、ハンドオーバコマンド、または、Ｃ−ＲＮＴＩに対するＰＤＣＣＨに含まれてもよい。ランダムアクセスプリアンブルの割り当ては、ランダムアクセスプリアンブルのインデックスを示してもよい。ランダムアクセスプリアンブルの割り当てを含むＰＤＣＣＨを、ＰＤＣＣＨオーダ、または、ランダムアクセス手順の開始を指示するＰＤＣＣＨオーダとも称する。
【０１３７】
第１のステップ（９０２）において、端末装置１は、ランダムアクセスプリアンブルの割り当てに基づいてランダムアクセスプリアンブルを選択し、選択したランダムアクセスプリアンブルを送信する。ランダムアクセスプリアンブルは、ＰＲＡＣＨに含まれる。第１のステップ（９０２）において、端末装置１のＭＡＣ層自身が、ランダムアクセスプリアンブルのインデックスを選択しない。
【０１３８】
第２のステップ（９０４）において、端末装置１は、ランダムアクセスレスポンスを受信する。ランダムアクセスレスポンスは、ＰＤＳＣＨに含まれる。ここで、ランダムアクセスレスポンスを含むＰＤＳＣＨのスケジューリングのために、ＲＡ−ＲＮＴＩに対するＰＤＣＣＨが用いられる。ＲＡ−ＲＮＴＩの値は、第１のステップ（９００）においてランダムアクセスプリアンブルの送信のために用いられるＰＲＡＣＨのリソースに基づいて与えられてもよい。ランダムアクセスレスポンスは、ランダムアクセスプリアンブルのインデックスを示すランダムアクセスプリアンブル識別子、上りリンクグラント、Ｔｅｍｐｏｒａｒｙ  Ｃ−ＲＮＴＩを示す情報、および、タイミングアドバンスを示す情報を含む。ランダムアクセスレスポンスが、第１のステップ（９００）において送信されたランダムアクセスプリアンブルに対応するランダムアクセスプリアンブル識別子を含んでいる場合、ランダムアクセスレスポンスの受信に成功したとみなす。端末装置１は、ランダムアクセスレスポンスが、第１のステップ（９００）において送信されたランダムアクセスプリアンブルに対応するランダムアクセスプリアンブル識別子を含んでおり、且つ、ランダムアクセスプリアンブルの割り当てが通知されており、且つ、ランダムアクセスプリアンブルのインデックスを端末装置１のＭＡＣ自身が選択していない場合、端末装置１はランダムアクセスプロシージャが成功裏に完了したとみなす。
【０１３９】
第０のステップ（９００）において、ランダムアクセスプリアンブルの割り当てが第１の所定の値を示す場合、端末装置１は、４ステップコンテンションベースランダムアクセス手順を開始してもよい。すなわち、ランダムアクセスプリアンブルのインデックスを端末装置１のＭＡＣ自身が選択していない場合は、ランダムアクセスプリアンブルの割り当てが第１の所定の値ではない場合であってもよい。
【０１４０】
第０のステップ（９００）において、ランダムアクセスプリアンブルの割り当てが第２の所定の値を示す場合、端末装置１は、２ステップコンテンションベースランダムアクセス手順を開始してもよい。すなわち、ランダムアクセスプリアンブルのインデックスを端末装置１のＭＡＣ自身が選択していない場合は、ランダムアクセスプリアンブルの割り当てが第１の所定の値、および、第２の所定の値の何れとも異なる場合であってもよい。
【０１４１】
図１２は、本実施形態におけるイベントとランダムアクセス手順の形態の対応の一例を示す図である。ランダムアクセス手順は、（イベントｉ）ＲＲＣ＿ＩＤＬＥからの初期アクセス、（イベントｉｉ）ＲＲＣコネクション再確立、（イベントｉｉｉ）ハンドオーバ、（イベントｉｖ）ＲＲＣ＿ＣＯＮＮＥＣＴＥＤの間の下りリンクデータアライバル、（イベントｖ）ＲＲＣ＿ＣＯＮＮＥＣＴＥＤの間の上りリンクデータアライバル、および、（イベントｖｉ）セカンダリーＴＡＧのための時間調整のために実行される。（イベント
ｉｖ）ＲＲＣ＿ＣＯＮＮＥＣＴＥＤの間の下りリンクデータアライバルのためのランダムアクセス手順は、上りリンク同期のステータスが非同期である場合に実行されてもよい。（イベントｖ）ＲＲＣ＿ＣＯＮＮＥＣＴＥＤの間の上りリンクデータアライバルのためのランダムアクセス手順は、上りリンク同期のステータスが非同期である場合、または、スケジューリングリクエストのためのＰＵＣＣＨリソースがない場合に実行されてもよい。
【０１４２】
イベントｉからイベントｖに関するランダムアクセス手順はプライマリーセルにおいて実行されてもよい。イベントｖｉに関するランダムアクセス手順における第１のステップはセカンダリーセルにおいて実行されてもよい。すなわち、（イベントｖｉ）セカンダリーＴＡＧのための時間調整のために実行されるランダムアクセス手順は、セカンダリーＴＡＧに属するセカンダリーセルにおいて開始される。
【０１４３】
（イベントｉ）ＲＲＣ＿ＩＤＬＥからの初期アクセスのためのランダムアクセス手順は、４ステップコンテンションベースランダムアクセス手順、および、２ステップコンテンションベースランダムアクセス手順を含んでもよい。（イベントｉ）ＲＲＣ＿ＩＤＬＥからの初期アクセスのためのランダムアクセス手順は、非コンテンションベースランダムアクセス手順を含まなくてもよい。（イベントｉ）ＲＲＣ＿ＩＤＬＥからの初期アクセスのためのランダムアクセス手順はＲＲＣによって開始されてもよい。
【０１４４】
（イベントｉｉ）ＲＲＣコネクション再確立のためのランダムアクセス手順は、４ステップコンテンションベースランダムアクセス手順、および、２ステップコンテンションベースランダムアクセス手順を含んでもよい。（イベントｉｉ）ＲＲＣコネクション再確立のためのランダムアクセス手順は、非コンテンションベースランダムアクセス手順を含まなくてもよい。（イベントｉｉ）ＲＲＣコネクション再確立のためのランダムアクセス手順はＲＲＣによって開始されてもよい。
【０１４５】
ランダムアクセス手順が４ステップコンテンションベースランダムアクセス手順を含むことは、４ステップコンテンションベースランダムアクセス手順がサポートされること、４ステップコンテンションベースランダムアクセス手順が有効であること、または、４ステップコンテンションベースランダムアクセス手順が適用可能であることであってもよい。２ステップコンテンションベースランダムアクセス手順、および、非コンテンションベースランダムアクセス手順に対しても同様である。
【０１４６】
基地局装置３（セル）が送信／報知するシステムインフォメーションは、ＰＲＡＣＨ情報、ランダムアクセス情報を含んでもよい。ＰＲＡＣＨ情報は、ＰＲＡＣＨのリソースを示す情報、ランダムアクセスプリアンブルに関する物理ルートシーケンスインデックスｕに関する情報、および、ランダムアクセスプリアンブルのためのサイクリックシフトＣｖに関する情報を含んでもよい。物理ルートシーケンスインデックスｕ、および、サイクリックシフトＣｖは、ランダムアクセスプリアンブルの系列を決定するために用いられる。ランダムアクセス情報は、ランダムアクセスプリアンブルの数を示す情報、コンテンションベースランダムアクセス手順のためのランダムアクセスプリアンブルの数を示す情報を含んでもよい。また、システムインフォメーションは、２ステップコンテンションベースランダムアクセス手順のための情報を含んでもよい。２ステップコンテンションベースランダムアクセス手順のための情報は、セルにおいて２ステップコンテンションベースランダムアクセス手順がサポートされていることを示す情報、２ステップコンテンションベースランダムアクセス手順の第１のステップにおける端末装置１の識別子を送信するためのリソースを示す情報、２ステップコンテンションベースランダムアクセス手順の第１のステップにおける端末装置１の識別子を含むデータの変調方式を示す情報、および／または、ＲＳＲＰ（Reference Signal Received Power）の閾値を示す情報を含んでもよい。こ
こで、システムインフォメーションは、非コンテンションベースランダムアクセス手順の
第０のステップのためのランダムアクセスプリアンブルの割り当てを含まない。
【０１４７】
端末装置１は、セルの下りリンク参照信号からＲＳＲＰを測定する。端末装置１は、測定したＲＳＲＰ、および、ＲＳＲＰの閾値に基づいて、２ステップコンテンションベースランダムアクセス手順および４ステップコンテンションベースランダムアクセス手順の何れか一方を開始してもよい。端末装置１は、測定したＲＳＲＰがＲＳＲＰの閾値を超えない場合、４ステップコンテンションベースランダムアクセス手順を開始してもよい。端末装置１は、測定したＲＳＲＰがＲＳＲＰの閾値を超える場合、２ステップコンテンションベースランダムアクセス手順を開始してもよい。
【０１４８】
（イベントｉｉｉ）ハンドオーバのためのランダムアクセス手順は、４ステップコンテンションベースランダムアクセス手順、２ステップコンテンションベースランダムアクセス手順、および、非コンテンションベースランダムアクセス手順を含んでもよい。ハンドオーバコマンドは、上述したＰＲＡＣＨ情報、上述したランダムアクセス情報、上述した２ステップコンテンションベースランダムアクセス手順のための情報、および／または、非コンテンションベースランダムアクセス手順の第０のステップのためのランダムアクセスプリアンブルの割り当てを含んでもよい。
【０１４９】
端末装置１は、ハンドオーバコマンドに含まれる情報に基づいて、４ステップコンテンションベースランダムアクセス手順、２ステップコンテンションベースランダムアクセス手順、および、非コンテンションベースランダムアクセス手順の何れか１つを開始してもよい。
【０１５０】
端末装置１は、ハンドオーバコマンドにランダムアクセスプリアンブルの割り当てが含まれる場合、非コンテンションベースランダムアクセス手順を開始してもよい。
【０１５１】
端末装置１は、ハンドオーバコマンドにランダムアクセスプリアンブルの割り当てが含まれず、且つ、ハンドオーバコマンドに２ステップコンテンションベースランダムアクセス手順のための情報が含まれる場合、測定したＲＳＲＰ、および、ＲＳＲＰの閾値に基づいて、２ステップコンテンションベースランダムアクセス手順および４ステップコンテンションベースランダムアクセス手順の何れか一方を開始してもよい。
【０１５２】
端末装置１は、ハンドオーバコマンドにランダムアクセスプリアンブルの割り当てが含まれず、且つ、ハンドオーバコマンドに２ステップコンテンションベースランダムアクセス手順のための情報が含まれる場合、測定したＲＳＲＰ、および、ＲＳＲＰの閾値に基づいて、２ステップコンテンションベースランダムアクセス手順および４ステップコンテンションベースランダムアクセス手順の何れか一方を開始してもよい。ここで、端末装置１は、測定したＲＳＲＰがＲＳＲＰの閾値を超えない場合、４ステップコンテンションベースランダムアクセス手順を開始してもよい。ここで、端末装置１は、測定したＲＳＲＰがＲＳＲＰの閾値を超える場合、２ステップコンテンションベースランダムアクセス手順を開始してもよい。
【０１５３】
端末装置１は、ハンドオーバコマンドにランダムアクセスプリアンブルの割り当てが含まれ、且つ、ランダムアクセスプリアンブルの割り当てが第１の所定の値を示す場合、４ステップコンテンションベースランダムアクセス手順を開始してもよい。
【０１５４】
端末装置１は、ハンドオーバコマンドにランダムアクセスプリアンブルの割り当てが含まれ、且つ、ランダムアクセスプリアンブルの割り当てが第２の所定の値を示し、且つ、ハンドオーバコマンドに２ステップコンテンションベースランダムアクセス手順のための情報が含まれる場合、２ステップコンテンションベースランダムアクセス手順を開始して
もよい。
【０１５５】
端末装置１は、ハンドオーバコマンドにランダムアクセスプリアンブルの割り当てが含まれず、且つ、ハンドオーバコマンドに２ステップコンテンションベースランダムアクセス手順のための情報が含まれない場合、４ステップコンテンションベースランダムアクセス手順を開始してもよい。
【０１５６】
（イベントｉｖ）ＲＲＣ＿ＣＯＮＮＥＣＴＥＤの間の下りリンクデータアライバルのためのランダムアクセス手順は、４ステップコンテンションベースランダムアクセス手順、および、非コンテンションベースランダムアクセス手順を含んでもよい。（イベントｉｖ）ＲＲＣ＿ＣＯＮＮＥＣＴＥＤの間の下りリンクデータアライバルのためのランダムアクセス手順は、２ステップコンテンションベースランダムアクセス手順を含まなくてもよい。（イベントｉｖ）ＲＲＣ＿ＣＯＮＮＥＣＴＥＤの間の下りリンクデータアライバルのためのランダムアクセス手順は、ＰＤＣＣＨオーダによって開始される。
【０１５７】
ＰＤＣＣＨオーダに含まれるランダムアクセスプリアンブルの割り当てが第１の所定の値以外の値である場合、端末装置１は非コンテンションベースランダムアクセス手順を開始してもよい。ＰＤＣＣＨオーダに含まれるランダムアクセスプリアンブルの割り当てが第１の所定の値である場合、端末装置１は４ステップコンテンションベースランダムアクセス手順を開始してもよい。ＰＤＣＣＨオーダに含まれるランダムアクセスプリアンブルの割り当てが第２の所定の値であったとしても、端末装置１は４ステップコンテンションベースランダムアクセス手順を開始してもよい。
【０１５８】
（イベントｖ）ＲＲＣ＿ＣＯＮＮＥＣＴＥＤの間の上りリンクデータアライバルのためのランダムアクセス手順は、４ステップコンテンションベースランダムアクセス手順、および、２ステップコンテンションベースランダムアクセス手順を含んでもよい。（イベントｖ）ＲＲＣ＿ＣＯＮＮＥＣＴＥＤの間の上りリンクデータアライバルのためのランダムアクセス手順は、非コンテンションベースランダムアクセス手順を含まなくてもよい。（イベントｖ）ＲＲＣ＿ＣＯＮＮＥＣＴＥＤの間の上りリンクデータアライバルのためのランダムアクセス手順は、ＭＡＣ自身によって開始される。
【０１５９】
（イベントｖｉ）セカンダリーＴＡＧのための時間調整のために実行されるランダムアクセス手順は、ＰＤＣＣＨオーダによって開始される。すなわち、セカンダリーセルにおけるランダムアクセス手順の開始を指示するＰＤＣＣＨオーダに含まれるランダムアクセスプリアンブルの割り当ては第１の所定の値以外の値を示す。
【０１６０】
図１３は、本実施形態におけるイベントとランダムアクセス手順の形態の対応の別の例を示す図である。ランダムアクセス手順は、（イベントＡ）ＲＲＣ、（イベントＢ）ＭＡＣ自身、または、（イベントＣ）ＰＤＣＣＨオーダによって開始される。
【０１６１】
（イベントＡ）ＲＲＣによって開始されるランダムアクセス手順は、４ステップコンテンションベースランダムアクセス手順、２ステップコンテンションベースランダムアクセス手順、および、非コンテンションベースランダムアクセス手順を含んでもよい。
【０１６２】
（イベントＢ）ＭＡＣ自身によって開始されるランダムアクセス手順は、４ステップコンテンションベースランダムアクセス手順、および、２ステップコンテンションベースランダムアクセス手順を含んでもよい。（イベントＢ）ＭＡＣ自身によって開始されるランダムアクセス手順は、非コンテンションベースランダムアクセス手順を含まなくてもよい。
【０１６３】
ＰＤＣＣＨオーダによって開始されるランダムアクセス手順は、４ステップコンテンションベースランダムアクセス手順、非コンテンションベースランダムアクセス手順を含んでもよい。ＰＤＣＣＨオーダによって開始されるランダムアクセス手順は、２ステップコンテンションベースランダムアクセス手順を含まなくてもよい。
【０１６４】
（イベントＣ）ＰＤＣＣＨオーダに基づいてプライマリーセルにおいて開始されるランダムアクセス手順は、４ステップコンテンションベースランダムアクセス手順、非コンテンションベースランダムアクセス手順を含んでもよい。（イベントＣ）ＰＤＣＣＨオーダに基づいてプライマリーセルにおいて開始されるランダムアクセス手順は、２ステップコンテンションベースランダムアクセス手順を含まなくてもよい。
【０１６５】
（イベントＤ）ＰＤＣＣＨオーダに基づいてセカンダリーセルにおいて開始されるランダムアクセス手順は、非コンテンションベースランダムアクセス手順を含んでもよい。（イベントＤ）ＰＤＣＣＨオーダに基づいてセカンダリーセルにおいて開始されるランダムアクセス手順は、４ステップコンテンションベースランダムアクセス手順、および、２ステップコンテンションベースランダムアクセス手順を含まなくてもよい。
【０１６６】
端末装置１が備える符号化部１０７１における、ＰＵＳＣＨの初期送信のためのＳＣ−ＦＤＭＡシンボル数NPUSCH-initialsymbの計算方法を説明する。
【０１６７】
ＰＵＳＣＨの初期送信のためのＳＣ−ＦＤＭＡシンボル数NPUSCH-initialsymbは、以下の数式（３）に基づき与えられてもよい。
【０１６８】
【数３】
2020057822.tif 000005
【０１６９】
ここで、第１の値NPUSCHendは、０、または、１以上の値をとる変数であってもよい。
また、第２の値NSRSは、０、または、１の値をとる変数であってもよい。また、第３の値NPUSCHstartは、０、または、１の値をとる変数であってもよい。また、第４の値NULsymbは、スロットあたりのＳＣ−ＦＤＭＡシンボルの数である。ここで、第１の値NPUSCHend
は、ＰＵＳＣＨに対応する第１の値NPUSCHendであってもよい。また、第２の値NSRSは、
ＰＵＳＣＨに対応する第２の値NSRSであってもよい。また、第３の値NPUSCHstartは、Ｐ
ＵＳＣＨに対応する第３の値NPUSCHstartであってもよい。また、第４の値NULsymbは、ＰＵＳＣＨに対応する第４の値NULsymbであってもよい。
【０１７０】
ここで、ＰＵＳＣＨの初期送信のためのＳＣ−ＦＤＭＡシンボル数NPUSCH-initialsymbは、第１の値NPUSCHendに少なくとも基づき与えられてもよい。また、ＰＵＳＣＨの初期
送信のためのＳＣ−ＦＤＭＡシンボル数NPUSCH-initialsymbは、第１の値NPUSCHendに少
なくとも関連していてもよい。
【０１７１】
例えば、条件（Ａ１）の下で、第１の値NPUSCHendは、１、または、１以上の値であっ
てもよい。また、条件（Ａ２）の下で、第１の値NPUSCHendは、１であってもよい。また
、条件（Ａ３）の下で、第１の値NPUSCHendは、０であってもよい。
【０１７２】
ここで、条件（Ａ１）は、第１のステップ（７００）においてＰＵＳＣＨが送信されることを含んでもよい。また、第１のＰＵＳＣＨ送信は、第１のステップ（８００）におい
てＰＵＳＣＨが送信されることを含んでもよい。
【０１７３】
また、条件（Ａ１）は、２ステップコンテンションベースランダムアクセス手順においてＰＵＳＣＨが送信されることを含んでもよい。つまり、条件（Ａ１）は、ＰＲＡＣＨによりＰＵＳＣＨの送信がトリガされることを含んでもよい。また、条件（Ａ１）は、ＰＲＡＣＨとＰＵＳＣＨが同時に送信されることを含んでもよい。また、条件（Ａ１）は、ＰＲＡＣＨと同一の送信タイミングにおいてＰＵＳＣＨが送信されることを含んでもよい。また、条件（Ａ１）は、ＰＲＡＣＨと同一の周波数リソース（リソースブロックインデックス）においてＰＵＳＣＨが送信されることを含んでもよい。また、条件（Ａ１）は、ＰＲＡＣＨの送信タイミングに少なくとも基づいてＰＵＳＣＨが送信されることを含んでもよい。
【０１７４】
また、条件（Ａ１）は、基地局装置３から受信した信号（下りリンク制御情報、および／または、上位層の信号）によりＰＵＳＣＨの送信がトリガされないことを含んでもよい。条件（Ａ１）は、基地局装置３から受信した信号（下りリンク制御情報、および／または、上位層の信号）によりトリガされるＰＵＳＣＨの送信以外のＰＵＳＣＨが送信されることを含んでもよい。つまり、条件（Ａ１）は、端末装置１自身（または、端末装置１のＭＡＣ層、または、端末装置１の上位層）によりＰＵＳＣＨの送信がトリガされることを含んでもよい。また、条件（Ａ１）は、上りリンクグラントなし（グラントフリー）でＰＵＳＣＨが送信されることを含んでもよい。つまり、条件（Ａ１）は、基地局装置３から受信した上りリンクグラントとは関係なくＰＵＳＣＨが送信されることを含んでもよい。
【０１７５】
また、条件（Ａ１）は、上りリンクの送信タイミングに基づかずＰＵＳＣＨが送信されることを含んでもよい。
【０１７６】
また、条件（Ａ１）は、下りリンクの送信タイミングに基づいてＰＵＳＣＨが送信されることを含んでもよい。ここで、下りリンクの送信タイミングに基づいてＰＵＳＣＨが送信されることは、NTA=0に少なくとも基づき与えられる送信タイミングに基づいてＰＵＳ
ＣＨが送信されることであってもよい。ここで、ＰＵＳＣＨの送信タイミングは、(NTA+NTA,offset) * Tsで与えられる。つまり、ＰＵＳＣＨの送信タイミングは、下りリンクサ
ブフレームの開始時点から(NTA+NTA,offset) * Ts前に移動したタイミングにより与えら
れる。ここで、NTA,offsetは、フレーム構成タイプ１において、０である。また、NTA,offsetは、フレーム構成タイプ２において、６２４である。NTA,offsetは、フレーム構成タイプ３において、６２４である。
【０１７７】
また、条件（Ａ１）は、端末装置１が有効な送信タイミング値（TA value）を有していない場合においてＰＵＳＣＨが送信されることを含んでもよい。
【０１７８】
つまり、条件（Ａ１）は、条件（ａ１）から条件（ａ６）の一部または全部を少なくとも満たすことであってもよい。
条件（ａ１）：第１のステップ（７００）においてＰＵＳＣＨが送信されること
条件（ａ２）：２ステップコンテンションベースランダムアクセス手順においてＰＵＳＣＨが送信されること
条件（ａ３）：基地局装置３から受信した信号（下りリンク制御情報、および／または、上位層の信号）によりトリガされないＰＵＳＣＨが送信されること
条件（ａ４）：上りリンクの送信タイミングに基づかないＰＵＳＣＨが送信されること
条件（ａ５）：下りリンクの送信タイミングに基づくＰＵＳＣＨが送信されること
条件（ａ６）：端末装置１が有効な送信タイミング値（TA value）を有していない場合においてＰＵＳＣＨが送信されること
【０１７９】
ここで、条件（ａ１）は、第１のステップ（８００）においてＰＵＳＣＨが送信されること、であってもよい。
【０１８０】
また、条件（ａ２）は、ＰＲＡＣＨによりトリガされるＰＵＳＣＨが送信されることであってもよい。また、条件（ａ２）は、ＰＲＡＣＨとＰＵＳＣＨが同時に送信されることであってもよい。また、条件（ａ２）は、ＰＲＡＣＨと同一の送信タイミングにおいてＰＵＳＣＨが送信されることであってもよい。また、条件（ａ２）は、ＰＲＡＣＨと同一の周波数リソース（リソースブロックインデックス）においてＰＵＳＣＨが送信されることであってもよい。また、条件（ａ２）は、ＰＲＡＣＨの送信タイミングに少なくとも基づいてＰＵＳＣＨが送信されることであってもよい。
【０１８１】
また、条件（ａ３）は、端末装置１自身によりＰＵＳＣＨの送信がトリガされることであってもよい。また、条件（ａ３）は、上りリンクグラントなし（グラントフリー）でＰＵＳＣＨが送信されることであってもよい。
【０１８２】
また、条件（Ａ２）は、ＰＵＳＣＨがＬＡＡセルにおいて送信され、かつ、ＰＵＳＣＨがサブフレームの最後から２番目のＳＣ−ＦＤＭＡシンボルまで送信されることが設定され、かつ、ＰＵＳＣＨに対応する第２の値NSRSが０であることを含んでもよい。また、条件（Ａ２）は、端末装置１に対して上りリンク送信をＬＡＡセルにおいて行うことが設定され、かつ、ＰＵＳＣＨをサブフレームの最後から２番目のＳＣ−ＦＤＭＡシンボルまで送信することが設定され、かつ、ＰＵＳＣＨに対応する第２の値NSRSが０であることを含んでもよい。ＰＵＳＣＨがサブフレームの最後から２番目のＳＣ−ＦＤＭＡシンボルまで送信されることは、ＰＵＳＣＨが少なくともサブフレームの最後の１つのＳＣ−ＦＤＭＡシンボルにおいて送信されないことを意味する。サブフレームの最後から２番目のＳＣ−ＦＤＭＡシンボルまでは、サブフレームの最後から２番目のＳＣ−ＦＤＭＡシンボルを含む。また、上りリンク送信は、ＰＵＳＣＨの送信であってもよい。
【０１８３】
条件（Ａ２）は、条件（ａ７）を少なくとも満たし、条件（ａ１）から条件（ａ６）の一部または全部を少なくとも満たさないことであってもよい。
条件（ａ７）：ＰＵＳＣＨがＬＡＡセルにおいて送信され、かつ、ＰＵＳＣＨがサブフレームの最後から２番目のＳＣ−ＦＤＭＡシンボルまで送信されることが設定され、かつ、ＰＵＳＣＨに対応する第２の値NSRSが０であること
【０１８４】
ここで、条件（ａ７）は、端末装置１に対して上りリンク送信をＬＡＡセルにおいて行うことが設定され、かつ、ＰＵＳＣＨをサブフレームの最後から２番目のＳＣ−ＦＤＭＡシンボルまで送信することが設定され、かつ、ＰＵＳＣＨに対応する第２の値NSRSが０であることであってもよい。
【０１８５】
例えば、条件（Ａ２）は、条件（ａ７）を満たし、条件（ａ１）を満たさないことであってもよい。つまり、条件（Ａ２）は、ＰＵＳＣＨがＬＡＡセルにおいて送信され、かつ、ＰＵＳＣＨがサブフレームの最後から２番目のＳＣ−ＦＤＭＡシンボルまで送信され、かつ、ＰＵＳＣＨに対応する第２の値NSRSが０であり、かつ、第１のステップ（７００）以外においてＰＵＳＣＨが送信されることであってもよい。また、条件（Ａ２）は、条件（ａ７）を満たし、条件（ａ２）を満たさないことであってもよい。また、条件（Ａ２）は、条件（ａ７）を満たし、条件（ａ１）および条件（ａ２）を満たさないことであってもよい。その他の条件に対しても同様であるため、説明を省略する。
【０１８６】
また、条件（Ａ２）は、条件（ａ８）と条件（ａ９）の一部または全部を少なくとも満たすことであってもよい。
条件（ａ８）：第３のステップ（６０４）においてＰＵＳＣＨが送信されること
条件（ａ９）：４ステップコンテンションベースランダムアクセス手順においてＰＵＳＣＨが送信されること
【０１８７】
ここで、条件（ａ８）は、第３のステップ（８０４）においてＰＵＳＣＨが送信されること、であってもよい。
【０１８８】
また、条件（ａ９）は、ランダムアクセスレスポンスに含まれる上りリンクグラント（ランダムアクセスレスポンスグラント）によりＰＵＳＣＨの送信がトリガされることであってもよい。
【０１８９】
つまり、条件（Ａ２）は、条件（ａ７）から条件（ａ９）の一部または全部を少なくとも満たし、条件（ａ１）から条件（ａ６）の一部または全部を少なくとも満たさないことであってもよい。例えば、条件（Ａ２）は、条件（ａ７）と条件（ａ８）を満たし、条件（ａ１）を満たさなくてもよい。また、条件（Ａ２）は、条件（ａ７）と条件（ａ９）を満たし、条件（ａ３）を満たさなくてもよい。その他の条件に対しても同様であるため、説明を省略する。
【０１９０】
条件（Ａ３）は、条件（Ａ１）、および／または、条件（Ａ２）を満たさないことであってもよい。
【０１９１】
また、条件（Ａ３）は、条件（ａ１）から条件（ａ６）の一部または全部を少なくとも満たさず、かつ、条件（ａ７）を満たさないことであってもよい。例えば、条件（Ａ３）は、条件（ａ１）を満たさず、さらに、条件（ａ７）を満たさないことであってもよい。つまり、条件（Ａ３）は、（ｉ）第１のステップ（７００）以外においてＰＵＳＣＨが送信されることであり、かつ、（ｉｉ）端末装置１に対して上りリンク送信をＬＡＡセル以外において行うことが設定される、または、端末装置１に対してＰＵＳＣＨをサブフレームの最後の２番目のＳＣ−ＦＤＭＡシンボルまで送信することが設定されない、または、ＰＵＳＣＨに対応する第２の値NSRSが０ではないこと、であってもよい。その他の条件に対しても同様であるため、説明を省略する。ここで、端末装置１に対してＰＵＳＣＨをサブフレームの最後の２番目のＳＣ−ＦＤＭＡシンボルまで送信することが設定されないことは、端末装置１に対してＰＵＳＣＨをサブフレームの最後のＳＣ−ＦＤＭＡシンボルまで送信することが設定されることであってもよい。
【０１９２】
また、条件（Ａ３）は、条件（ａ１）から条件（ａ６）の一部または全部を少なくとも満たさず、かつ、条件（ａ７）を満たさず、かつ、条件（ａ８）から条件（ａ９）の一部または全部を少なくとも満たすことであってもよい。例えば、条件（Ａ３）は、条件（ａ１）を満たさず、さらに、条件（ａ７）を満たさず、かつ、条件（ａ８）を満たしてもよい。つまり、条件（Ａ３）は、（ｉ）第１のステップ（７００）以外においてＰＵＳＣＨが送信される、かつ、（ｉｉ）端末装置１に対して上りリンク送信をＬＡＡセル以外において行うことが設定され、または、端末装置１に対してＰＵＳＣＨをサブフレームの最後の２番目のＳＣ−ＦＤＭＡシンボルまで送信することが設定されない、または、第２の値NSRSが０ではなく、（ｉｉｉ）第３のステップ（６０４）におけるＰＵＳＣＨの送信であること、であってもよい。その他の条件に対しても同様であるため、説明を省略する。
【０１９３】
ＰＵＳＣＨの初期送信のためのＳＣ−ＦＤＭＡシンボル数NPUSCH-initialsymbは、第１の値NPUSCHendに加えて、第２の値NSRSに少なくとも基づき与えられてもよい。ここで、
第２の値NSRSは、所定の条件を少なくとも満たす場合に１である。所定の条件は、条件（ａ１０）から条件（ａ１４）の一部または全部を含んでもよい。例えば、所定の条件は、条件（ａ１０）を満たすことであってもよい。また、所定の条件は条件（ａ１１）を満たすことであってもよい。また、所定の条件は条件（ａ１２）を満たすことであってもよい
。また、所定の条件は条件（ａ１３）を満たすことであってもよい。また、所定の条件は条件（ａ１４）を満たすことであってもよい。また、所定の条件は条件（ａ１０）および条件（ａ１１）を満たすことであってもよい。その他の条件に対しても同様であるため、説明を省略する。
条件（ａ１０）：端末装置１に対して１つの上りリンクセル（ＵＬセル）が設定され、かつ、ＰＵＳＣＨの初期送信とＳＲＳの送信が同一のサブフレームに設定されること（UE configured with one UL cell is configured to send PUSCH and SRS in the same subframe for initial transmission）
条件（ａ１１）：ＰＵＳＣＨの初期送信とＳＲＳの送信が同一のサービングセルの同一のサブフレームにおいて実施されること（if UE transmits PUSCH and SRS in the same subframe in the same serving cell for initial transmission）
条件（ａ１２）：ＰＵＳＣＨの初期送信のための帯域（リソース、または周波数リソース）の少なくとも一部がセル固有ＳＲＳに設定される帯域と重複すること（the PUSCH resource allocation for initial transmission even partially overlaps with the cell-specific SRS subframe and bandwidth configuration）
条件（ａ１３）：ＰＵＳＣＨの初期送信のためのサブフレームにおいて、第１のＵＥ固有ＳＲＳが設定されること（the subframe for initial transmission in the same serving cell is a UE-specific type-1 SRS subframe）
条件（ａ１４）：ＰＵＳＣＨの初期送信のためのサブフレームにおいて、第２のＵＥ固有ＳＲＳが設定され、かつ、端末装置１に複数のＴＡＧが設定されること（the subframe for initial transmission in the same serving cell is a UE-specific type-0 SRS subframe and the UE is configured with multiple TAGs）
【０１９４】
条件（ａ１２）において、セル固有のＳＲＳ帯域は、上位層の信号に含まれる情報に基づき与えられる。また、セル固有ＳＲＳのサブフレームは、上位層の信号に含まれる情報に基づき与えられる。
【０１９５】
条件（ａ１３）において、第１のＵＥ固有ＳＲＳは、非周期的に送信されるＳＲＳのために設定される。また、第１のＵＥ固有ＳＲＳのサブフレームは、上位層の信号に含まれる情報に基づき与えられる。非周期的に送信されるＳＲＳは、下りリンク制御情報に含まれる情報によりトリガされる。
【０１９６】
条件（ａ１４）において、第２のＵＥ固有ＳＲＳは、周期的に送信されるＳＲＳのために設定される。また、第２のＵＥ固有ＳＲＳのサブフレームは、上位層の信号に含まれる情報に基づき与えられる。
【０１９７】
また、ＰＵＳＣＨに対応する第２の値NSRSは、条件（ａ１０）から条件（ａ１４）の全部を少なくとも満たさない場合に０である。
【０１９８】
ＰＵＳＣＨの初期送信のためのＳＣ−ＦＤＭＡシンボル数NPUSCH-initialsymbは、第１の値NPUSCHend、および、第２の値NSRSに加えて、第３の値NPUSCHstartに少なくとも基づき与えられてもよい。ここで、第３の値NPUSCHstartは、端末装置１に対してＬＡＡセル
においてＰＵＳＣＨを送信することが設定され、かつ、ＰＵＳＣＨの送信が最初のＳＣ−ＦＤＭＡシンボル（例えば、ＳＣ−ＦＤＭＡシンボル＃０）の先頭から開始されないことが指示された場合に１である。また、第３の値NPUSCHstartは、それ以外の場合に０であ
る。つまり、第３の値NPUSCHstartは、ＰＵＳＣＨの送信がＬＡＡセルに設定されない、
または、ＰＵＳＣＨの送信が最初のＳＣ−ＦＤＭＡシンボルから開始されないことが指示されない場合に０である。
【０１９９】
ＰＵＳＣＨの初期送信のためのＳＣ−ＦＤＭＡシンボル数NPUSCH-initialsymbは、第１
の値NPUSCHend、および、第２の値NSRS、および、第３の値NPUSCHstartに加えて、第４の値NULsymb少なくとも基づき与えられてもよい。
【０２００】
条件（Ａ１）において、第１の値NPUSCHendは、ランダムアクセスプリアンブルのフォ
ーマットに少なくとも基づき与えられてもよい。例えば、条件（Ａ１）において、第１の値NPUSCHendは、ランダムアクセスプリアンブルのフォーマットごとに与えられてもよい
。また、条件（Ａ１）において、第１の値NPUSCHendは、上位層の信号に少なくとも基づ
き与えられてもよい。
【０２０１】
条件（Ａ１）において、第１の値NPUSCHendは、ランダムアクセスプリアンブルのフォ
ーマットの長さに関連する値TPRACHに少なくとも基づき与えられてもよい。また、第１の値NPUSCHendは、ＰＵＳＣＨの長さがランダムアクセスプリアンブルのフォーマットの長
さと等しい、または、小さくなるように与えられてもよい。例えば、第１の値NPUSCHend
は、NPUSCH-initialsymb*Tsymb<TPRACHを満たす最大のNPUSCH-initialsymbとなるように
設定されてもよい。ここで、Tsymbは、ＰＵＳＣＨに含まれるＳＣ−ＦＤＭＡシンボルの
長さである。また、ＰＵＳＣＨの長さは、ＰＵＳＣＨに含まれるＳＣ−ＦＤＭＡシンボルの長さに少なくとも基づき与えられる。ランダムアクセスプリアンブルのフォーマットの長さに関連する値TPRACHは、ランダムアクセスプリアンブルのフォーマットの長さTPRACH0であってもよい。つまり、ランダムアクセスプリアンブルのフォーマットの長さに関連
する値TPRACHは、TPRACH=TPRACH0であってもよい。ランダムアクセスプリアンブルのフォーマットの長さTPRACH0は、ランダムアクセスプリアンブルのフォーマットに基づき異な
ってもよい。例えば、ランダムアクセスプリアンブルのフォーマットの長さTPRACH0は、
プリアンブルフォーマット０において、27744*Tsである。また、例えば、TPRACH0は、プ
リアンブルフォーマット１において、45600*Tsである。また、例えば、TPRACH0は、プリ
アンブルフォーマット２において、55392*Tsである。また、例えば、TPRACH0は、プリア
ンブルフォーマット３において、70176*Tsである。また、例えば、TPRACH0は、プリアン
ブルフォーマット４において、4544*Tsである。
【０２０２】
ランダムアクセスプリアンブルのフォーマットの長さが、Nsub個のサブフレームにわたる場合、TPRACHは、TPRACH0-(Nsub-1)*Tsubframeにより与えられてもよい。例えば、２個のサブフレームにわたって設定されるランダムアクセスプリアンブルフォーマットに対して、TPRACHは、TPRACH=TPRACH0-Tsubframeにより与えられてもよい。ここで、Tsubframe
は、サブフレームの長さであり、例えば、１ｍｓである。
【０２０３】
図１４は、本実施形態の第１の値NPUSCHendの決定方法の一例を示した図である。図１
４において、縦軸は周波数、横軸は時間を表している。また、図１４において、フォーマットの長さがTPRACHのランダムアクセスプリアンブルと、１４個のＳＣ−ＦＤＭＡシンボルを含むＰＵＳＣＨがある送信タイミングにおいて同時に送信される（周波数分割多重される）一例を示している。なお、本実施形態に係る種々の態様は、ランダムアクセスプリアンブルとＰＵＳＣＨが時分割多重されてもよい。
【０２０４】
図１４に示される一例では、ランダムアクセスプリアンブルのフォーマットの長さTPRACHより小さい条件において最大のNPUSCH-initialsymbは１１である。例えば、数式（３）に基づきNPUSCH-initialsymbが与えられ、第２の値NSRSおよび第３の値NPUSCHstartが０
であり、第４の値NULsymbが７である場合、NPUSCHendは３である。つまり、図１４に示される一例において、サブフレームの最後の３個のＳＣ−ＦＤＭＡシンボルが送信されない（格子柄で示されるＳＣ−ＦＤＭＡシンボル＃１１から＃１３に対応する）。これにより、端末装置１は、初期アクセスの場合等のように、上りリンクの時間同期がとれない場合において、ＰＵＳＣＨによるシンボル間干渉等を回避すること等のために好適である。
【０２０５】
また、第１の値NPUSCHendは、ＰＵＳＣＨの長さがランダムアクセスプリアンブルのフ
ォーマットの長さに対して大きくなるように与えられてもよい。例えば、第１の値NPUSCHendは、NPUSCH-initialsymb*Tsymb>TPRACHを満たす最小のNPUSCH-initialsymbとなるように設定されてもよい。
【０２０６】
図１５は、本実施形態の第１の値NPUSCHendの決定方法の一例を示した図である。図１
５において、縦軸は周波数、横軸は時間を表している。また、図１５において、長さTPRACHのランダムアクセスプリアンブルと、１４個のＳＣ−ＦＤＭＡシンボルを含むＰＵＳＣＨがある送信タイミングにおいて同時に送信される（周波数分割多重される）一例を示している。なお、本実施形態に係る種々の態様は、ランダムアクセスプリアンブルとＰＵＳＣＨが時分割多重されてもよい。
【０２０７】
図１５に示される一例では、ランダムアクセスプリアンブルのフォーマットの長さTPRACHより大きい条件において、最小のNPUSCH-initialsymbは１２である。例えば、数式（３）に基づきNPUSCH-initialsymbが与えられ、第２の値NSRSおよび第３の値NPUSCHstartが
０であり、第４の値NULsymbが７である場合、NPUSCHendは２である。つまり、図１５に示される一例において、サブフレームの最後の２個のＳＣ−ＦＤＭＡシンボルが送信されない（格子線で示されるＳＣ−ＦＤＭＡシンボル＃１２から＃１３に対応する）。さらに、ＳＣ−ＦＤＭＡシンボル＃１１は、その一部がランダムアクセスプリアンブルの範囲を超えている（斜線で示される）。この場合、ＳＣ−ＦＤＭＡシンボル＃１１に部分シンボル（Patial symbol）が適用されることが好適である。また、部分シンボルは、ランダムア
クセスプリアンブルの長さを超えないように設定されることが好適である。
【０２０８】
例えば、条件（Ａ１）において、ＰＵＳＣＨで送信されるサブフレームの最後のＳＣ−ＦＤＭＡシンボルは、部分シンボルであってもよい。ここで、ＰＵＳＣＨで送信されるサブフレームの最後のＳＣ−ＦＤＭＡシンボルは、ＰＵＳＣＨの先頭のＳＣ−ＦＤＭＡシンボルからNPUSCH-initialsymb番目のＳＣ−ＦＤＭＡシンボルであってもよい。また、ＰＵＳＣＨで送信されるサブフレームの最後のＳＣ−ＦＤＭＡシンボルは、第３の値NPUSCHstartが０である場合に、ＰＵＳＣＨの先頭のＳＣ−ＦＤＭＡシンボルからNPUSCH-initialsymb番目のＳＣ−ＦＤＭＡシンボルであってもよい。また、ＰＵＳＣＨで送信されるサブ
フレームの最後のＳＣ−ＦＤＭＡシンボルは、第３の値NPUSCHstartが１である場合に、
ＰＵＳＣＨの先頭から２番目のＳＣ−ＦＤＭＡシンボルからNPUSCH-initialsymb番目のＳＣ−ＦＤＭＡシンボルであってもよい。つまり、条件（Ａ１）において、ＰＵＳＣＨに含まれるＳＣ−ＦＤＭＡシンボルの少なくとも一部に対して部分シンボルが設定されてもよく、該部分シンボルが設定されるＳＣ−ＦＤＭＡシンボルは、NPUSCH-initialsymbの値に少なくとも基づき与えられてもよい。
【０２０９】
ここで、部分シンボルは、時間連続信号の少なくとも一部が０であることであってもよい。時間連続信号は、以下の数式（４）で与えられる。
【０２１０】
【数４】
2020057822.tif 000006
【０２１１】
ここで、s(p)l (t)は、アンテナポートｐにおける、ＳＣ−ＦＤＭＡシンボルｌに対応
するコンテンツに基づき生成される、ＳＣ−ＦＤＭＡシンボルｌの時間ｔにおける時間連続信号である。また、NULRBは、上りリンク帯域のリソースブロック数であり、NRBscは、
リソースブロックのサブキャリア数であり、ceil()は、天井関数であり、floor()は床関
数であり、a(p)k(-),lは、アンテナポートｐにおける、リソースエレメント（ｋ、ｌ）のコンテンツであり、lはＳＣ−ＦＤＭＡシンボルのインデックスである。また、Δｆ＝１
５ｋＨｚである。また、NCP,lは、ＳＣ−ＦＤＭＡシンボルｌのＣＰ長である。また、Ts=1/(15000*2048)である。また、時間tは、0から(NCP,l+N)*Tsの間の範囲の値を備える。ここで、Tl,0は、ＳＣ−ＦＤＭＡシンボルの送信タイミングである。例えば、Tl,0=0であってもよい。Nは2048である。eはネイピア数である。jは虚数単位である。πは円周率であ
る。
【０２１２】
ここで、天井関数とは、ある値を下回らない範囲で最小の整数を取得する関数であってもよい。また、床関数とは、ある値を上回らない範囲で最大の整数を取得する関数であってもよい。
【０２１３】
例えば、部分シンボルは、時間連続信号s(p)l (t)の少なくとも一部が０に設定される
シンボルであってもよい。ここで、時間連続信号の少なくとも一部が０に設定されることは、数式（４）に基づき与えられた値の少なくとも一部の時間連続信号が０であることを含まない。部分シンボルは、時間連続信号s(p)l (t)の少なくとも一部が所定の数式に基
づき与えられないことであってもよい。所定の数式は、数式（４）に示される数式であってもよい。
【０２１４】
例えば、部分シンボルは、t=0からt=Tpartialの範囲において数式（４）に基づき時間
連続信号s(p)l (t)が与えられ、t= Tpartialからt=(NCP,l+N)*Tsの範囲において０が設定されることであってもよい。ここで、Tpartialは、ランダムアクセスプリアンブルのフォーマットごとに与えられてもよい。また、Tpartialは、ランダムアクセスプリアンブルのフォーマットごとに与えられてもよい。また、Tpartialは、上位層の信号に少なくとも基づき与えられてもよい。
【０２１５】
ＰＵＳＣＨの初期送信のためのＳＣ−ＦＤＭＡシンボル数NPUSCH-initialsymbは、第５の値に少なくとも基づき与えられてもよい。条件（Ａ１）において、第５の値は、１、または、１以上であってもよい。また、条件（Ａ２）において、第５の値は０であってもよい。また、条件（Ａ３）において、第５の値は０であってもよい。
【０２１６】
条件（Ａ１）において、第５の値は、ランダムアクセスプリアンブルのフォーマットに少なくとも基づき与えられてもよい。例えば、条件（Ａ１）において、第５の値は、ランダムアクセスプリアンブルのフォーマットごとに与えられてもよい。また、条件（Ａ１）において、第５の値は、上位層の信号に少なくとも基づき与えられてもよい。
【０２１７】
条件（Ａ１）において、第５の値は、ランダムアクセスプリアンブルのフォーマットの長さTPRACHに少なくとも基づき与えられてもよい。また、第５の値は、ＰＵＳＣＨの長さがランダムアクセスプリアンブルのフォーマットの長さと等しい、または、小さくなるように与えられてもよい。例えば、第５の値は、NPUSCH-initialsymb*Tsymb<TPRACHを満た
す最大のNPUSCH-initialsymbとなるように設定されてもよい。
【０２１８】
ＰＵＳＣＨの初期送信のためのＳＣ−ＦＤＭＡシンボル数NPUSCH-initialsymbは、第５の値に加えて、第２の値NSRS、第３の値NPUSCHstart、第４の値NULsymbに少なくとも基づき与えられてもよい。
【０２１９】
端末装置１が備える多重部１０７７による第２の系列のリソースエレメントへのマッピングの方法を説明する。ここで、第２の系列は、複素数値シンボルの系列であってもよい。第２の系列は、複素数値シンボルの離散フーリエ変換により与えられる系列であっても
よい。複素数値シンボルの離散フーリエ変換により与えられる系列は、複素数値シンボルの系列とも称される。
【０２２０】
条件（Ａ１）が満たされない場合において、ＰＵＳＣＨの送信を指示する下りリンク制御情報に含まれる第１のフィールド（PUSCH ending symbol）が１を示す場合に、第２の
系列はサブフレームの最後のＳＣ−ＦＤＭＡシンボルのリソースエレメントにマップされなくてもよい。ここで、第１のフィールドは、ＰＵＳＣＨの終了シンボルを示してもよい。また、条件（Ａ１）が満たされないことは、条件（ａ１）から条件（ａ６）の一部または全部を少なくとも満たさないことであってもよい。ＰＵＳＣＨの終了シンボルは、ＰＵＳＣＨが送信されるサブフレームにおいて、ＰＵＳＣＨの送信が終了するＳＣ−ＦＤＭＡシンボルであってもよい。
【０２２１】
例えば、ＰＵＳＣＨの送信において、条件（ａ１）を満たさず、ＰＵＳＣＨの送信を指示する上りリンクグラントに含まれる第１のフィールド（PUSCH ending symbol）が１を
示す場合に、第２の系列はサブフレームの最後のＳＣ−ＦＤＭＡシンボルのリソースエレメントにマップされなくてもよい。つまり、第１のステップ（７００）以外においてＰＵＳＣＨが送信され、ＰＵＳＣＨの送信を指示する上りリンクグラントに含まれるＰＵＳＣＨの終了シンボルを示す第１のフィールド（PUSCH ending symbol）が１を示す場合に、
第２の系列はサブフレームの最後のＳＣ−ＦＤＭＡシンボルのリソースエレメントにマップされなくてもよい。また、条件（ａ２）を満たさず、ＰＵＳＣＨの送信を指示する上りリンクグラントに含まれる第１のフィールド（PUSCH ending symbol）が１を示す場合に
、第２の系列はサブフレームの最後のＳＣ−ＦＤＭＡシンボルのリソースエレメントにマップされなくてもよい。その他の条件に対しても同様であるため、説明を省略する。
【０２２２】
また、条件（Ａ１）において、第２の系列はサブフレームの最後の１または１以上のNlast個のＳＣ−ＦＤＭＡシンボルのリソースエレメントにマップされなくてもよい。つま
り、条件（Ａ１）において、第２の系列はサブフレームの最後の１または１以上のNlast
個のＳＣ−ＦＤＭＡシンボルのリソースエレメントにマップされなくてもよい。Nlastは
第６の値Nlastとも称される。ここで、サブフレームの最後の１または１以上のNlast個のＳＣ−ＦＤＭＡシンボルのリソースエレメントにマップされないことは、サブフレームの最後のＳＣ−ＦＤＭＡシンボルから、サブフレームの最後からNlast個のＳＣ−ＦＤＭＡ
シンボルまでに含まれるＳＣ−ＦＤＭＡシンボルのリソースエレメントにマップされないことであってもよい。また、サブフレームの最後のＳＣ−ＦＤＭＡシンボルからサブフレームの最後からNlast番目のＳＣ−ＦＤＭＡシンボルまで、とは、サブフレームの最後の
ＳＣ−ＦＤＭＡシンボル、および、サブフレームの最後からNlast番目のＳＣ−ＦＤＭＡ
シンボルを含む。
【０２２３】
また、ＰＵＳＣＨの送信において、第２の系列がマップされるリソースエレメントは、少なくともＰＵＳＣＨのために割り当てられるリソースブロックに含まれるリソースエレメントである。ＰＵＳＣＨのために割り当てられるリソースブロックは、上りリンクグラント、または、設定された上りリンクグラントに基づき指示されてもよい。また、ＰＵＳＣＨのために割り当てられるリソースブロックは、仕様書等の記載等に基づき与えられてもよい。例えば、上りリンクグラントなしでＰＵＳＣＨが送信される場合、ＰＵＳＣＨのために割り当てられる所定のリソースブロックは、あらかじめ割り当てられてもよい（または、仕様書の記載等に基づき与えられてもよい）。また、ＰＵＳＣＨのために割り当てられるリソースブロックは、システム情報に少なくとも基づき与えられてもよい。
【０２２４】
また、第２の系列は、参照信号の送信のために用いられるリソースエレメントにマップされない。
【０２２５】
また、ＰＵＳＣＨが送信されるサービングセルのサブフレームにおいてＳＲＳが送信される場合に、第２の系列はサブフレームの最後のＳＣ−ＦＤＭＡシンボルのリソースエレメントにマップされない。
【０２２６】
また、ＰＵＳＣＨのための帯域（リソース）の少なくとも一部がセル固有ＳＲＳのサブフレームと重複し、かつ、端末装置１が所定の動作モードに設定されている場合に、第２の系列はサブフレームの最後のＳＣ−ＦＤＭＡシンボルのリソースエレメントにマップされない。ここで、所定の動作モードは、non-BL/CEのモード、または、CEModeAが設定されるBL/CEのモードであってもよい。ここで、non-BL-CEとは、BL/CE（Bandwidth reduced  Low complexity / Coverage Enhancement）のモードではないことである。BL/CEのモードは、機械向け通信（MTC: Machine Type Communication）をサポートするモードであって
もよい。CE Mode Aは、機械向け通信のための第１のモードである。
【０２２７】
また、第２の系列は、ＰＵＳＣＨが送信されるサービングセルのサブフレームにおいて第１のＵＥ固有ＳＲＳが設定されるＳＣ−ＦＤＭＡシンボルのリソースエレメントにマップされない。
【０２２８】
また、端末装置１が複数のタイミングアドバンスグループ（ＴＡＧ）を設定される場合に、第２の系列は、ＰＵＳＣＨが送信されるセルのサブフレームにおいて第２のＵＥ固有ＳＲＳが設定されるＳＣ−ＦＤＭＡシンボルのリソースエレメントにマップされない。
【０２２９】
また、下りリンク制御情報に含まれ、ＰＵＳＣＨの送信開始シンボルを指示する第２のフィールド（PUSCH starting position）が０１、１０、または、１１を示す場合に、第
２の系列はサブフレームの最初のＳＣ−ＦＤＭＡシンボルのリソースエレメントにマップされない。ここで、ＰＵＳＣＨの送信開始シンボルとは、ＰＵＳＣＨが送信されるサブフレームにおいて、送信が開始されるＳＣ−ＦＤＭＡシンボルであってもよい。
【０２３０】
また、第６の値Nlastは、ランダムアクセスプリアンブルのフォーマットに少なくとも
基づき与えられてもよい。例えば、第６の値Nlastは、ランダムアクセスプリアンブルの
フォーマットごとに与えられてもよい。また、第６の値Nlastは、上位層の信号に少なく
とも基づき与えられてもよい。
【０２３１】
また、第６の値Nlastは、ランダムアクセスプリアンブルのフォーマットの長さTPRACH
に少なくとも基づき与えられてもよい。また、第６の値Nlastは、ＰＵＳＣＨ送信の長さ
がランダムアクセスプリアンブルのフォーマットの長さと等しい、または、小さくなるように与えられてもよい。例えば、第６の値Nlastは、NPUSCH-initialsymb*Tsymb<TPRACHを満たす最大のNPUSCH-initialsymbとなるように設定されてもよい。ここで、Tsymbは、Ｐ
ＵＳＣＨ送信のためのＳＣ−ＦＤＭＡシンボルの長さである。
【０２３２】
第２の系列が所定のリソースエレメントにマップされないことは、第２の系列が、ＰＵＳＣＨの送信のために割り当てられるリソースブロックに含まれるリソースエレメントのうち、所定のリソースエレメントにマップされないことであってもよい。
【０２３３】
例えば、条件（Ａ１）が満たされない場合において、ＰＵＳＣＨの送信を指示する上りリンクグラントに含まれる第１のフィールド（PUSCH ending symbol）が１を示す場合に
、第２の系列は、ＰＵＳＣＨの送信のために割り当てられるリソースブロックに含まれるリソースエレメントのうち、サブフレームの最後のＳＣ−ＦＤＭＡシンボルのリソースエレメントにマップされなくてもよい。
【０２３４】
また、条件（Ａ１）において、第２の系列は、ＰＵＳＣＨの送信のために割り当てられ
るリソースブロックに含まれるリソースエレメントのうち、サブフレームの最後の１または１以上のNlast個のＳＣ−ＦＤＭＡシンボルのリソースエレメントにマップされなくて
もよい。
【０２３５】
また、第２の系列が所定のリソースエレメントにマップされないことは、ＰＵＳＣＨの送信のために割り当てられるリソースブロックに含まれるリソースエレメントのうち、所定のリソースエレメント以外に、第２の系列がマップされることであってもよい。
【０２３６】
例えば、条件（Ａ１）が満たされない場合において、ＰＵＳＣＨの送信を指示する下りリンク制御情報に含まれる第１のフィールド（PUSCH ending symbol）が１を示す場合に
、第２の系列は、ＰＵＳＣＨの送信のために割り当てられるリソースブロックに含まれるリソースエレメントのうち、サブフレームの最後のＳＣ−ＦＤＭＡシンボルのリソースエレメント以外にマップされてもよい。
【０２３７】
また、条件（Ａ１）において、第２の系列は、ＰＵＳＣＨの送信のために割り当てられるリソースブロックに含まれるリソースエレメントのうち、サブフレームの最後の１または１以上のNlast個のＳＣ−ＦＤＭＡシンボルのリソースエレメント以外にマップされて
もよい。
【０２３８】
また、第２の系列が所定のリソースエレメントにマップされないことは、第２の系列がマップされるリソースエレメントに所定のリソースエレメントが含まれないことであってもよい。
【０２３９】
例えば、条件（Ａ１）が満たされない場合において、ＰＵＳＣＨの送信を指示する下りリンク制御情報に含まれる第１のフィールド（PUSCH ending symbol）が１を示す場合に
、第２の系列がマップされるリソースエレメントに、サブフレームの最後のＳＣ−ＦＤＭＡシンボルのリソースエレメントが含まれなくてもよい。
【０２４０】
また、条件（Ａ１）において、第２の系列がマップされるリソースエレメントに、サブフレームの最後の１または１以上のNlast個のＳＣ−ＦＤＭＡシンボルのリソースエレメ
ントが含まれなくてもよい。
【０２４１】
以下、本実施形態における、端末装置１の種々の態様について説明する。
【０２４２】
（１）上記の目的を達成するために、本発明の態様は、以下のような手段を講じた。すなわち、本発明の第１の態様は、端末装置１であって、複素数値シンボルを、１つのサブフレームにおけるリソースエレメントにマップするリソースマップ部と、前記複素数値シンボルを含むＰＵＳＣＨを所定のサブフレームで送信する送信部と、を備え、前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前記
複素数値シンボルは前記所定のサブフレームの最後のＳＣ−ＦＤＭＡシンボルの前記リソースエレメントにマップされず、前記複素数値シンボルがマップされる前記リソースエレメントは少なくとも前記ＰＵＳＣＨのために割り当てられるリソースブロックに含まれる前記リソースブロックである。
【０２４３】
（２）また、本発明の第１の態様において、前記複素数値シンボルは参照信号の送信に
用いられる前記リソースエレメントにマップされず、前記ＰＵＳＣＨが送信されるサービングセルの前記サブフレームにおいてＳＲＳが送信される場合に、前記複素数値シンボルは前記サブフレームの最後のＳＣ−ＦＤＭＡシンボルのリソースエレメントにマップされず、前記ＰＵＳＣＨのための帯域（リソース）の少なくとも一部がセル固有ＳＲＳの前記サブフレームと重複し、かつ、前記端末装置１が所定の動作モードに設定されている場合に、前記複素数値シンボルは前記サブフレームの最後の前記ＳＣ−ＦＤＭＡシンボルの前記リソースエレメントにマップされず、前記複素数値シンボルは前記ＰＵＳＣＨが送信される前記サブフレームにおいて第１の固有ＳＲＳが設定される前記ＳＣ−ＦＤＭＡシンボルの前記リソースエレメントにマップされず、前記端末装置１が複数のタイミングアドバンスグループを設定される場合に、前記複素数値シンボルは前記ＰＵＳＣＨが送信される前記サブフレームにおいて第２の固有ＳＲＳが設定される前記ＳＣ−ＦＤＭＡシンボルの前記リソースエレメントにマップされず、前記下りリンク制御情報に含まれ、前記ＰＵＳＣＨの送信開始シンボルを指示する第２のフィールド（PUSCH starting position）が０
１、１０、または、１１を示す場合に、前記複素数値シンボルは前記サブフレームの最初の前記ＳＣ−ＦＤＭＡシンボルの前記リソースエレメントにマップされない。
【０２４４】
（３）また、本発明の第１の態様において、前記ＰＵＳＣＨの送信が前記２ステップコンテンションベースランダムアクセス手順における前記ＰＵＳＣＨの送信である場合に、前記所定のＳＣ−ＦＤＭＡシンボルは、ランダムアクセスプリアンブルのフォーマットに少なくとも基づき与えられる。
【０２４５】
（４）また、本発明の第１の態様において、前記ＰＵＳＣＨの送信が前記２ステップコンテンションベースランダムアクセス手順における前記ＰＵＳＣＨの送信である場合に、前記所定のＳＣ−ＦＤＭＡシンボルは、上位層の信号に少なくとも基づき与えられる。
【０２４６】
（５）また、本発明の第１の態様において、前記ＰＵＳＣＨの送信が前記２ステップコンテンションベースランダムアクセス手順における前記ＰＵＳＣＨの送信である場合に、前記ＰＵＳＣＨで送信されるサブフレームの最後のＳＣ−ＦＤＭＡシンボルの時間連続信号の少なくとも一部が０に設定され、前記時間連続信号が０に設定される期間は、少なくともランダムアクセスプリアンブルのフォーマットに基づき与えられる。
【０２４７】
（６）また、本発明の第２の態様は、基地局装置３であって、ＰＵＳＣＨを受信する受信部と、前記ＰＵＳＣＨのリソースエレメントにマップされる複素数値シンボルを復調する復調部と、を備え、前記ＰＵＳＣＨの送信が２ステップコンテンションベースランダムアクセス手順における前記ＰＵＳＣＨの送信である場合に、前記複素数値シンボルは前記所定のサブフレームの最後の１または１以上の所定のＳＣ−ＦＤＭＡシンボルの前記リソースエレメントにマップされず、前記ＰＵＳＣＨの送信が前記２ステップコンテンションベースランダムアクセス手順における前記ＰＵＳＣＨの送信ではなく、かつ、前記ＰＵＳＣＨの送信を指示する下りリンク制御情報に含まれる第１のフィールド（PUSCH ending symbol）が１を示す場合に、前記複素数値シンボルは前記所定のサブフレームの最後のＳ
Ｃ−ＦＤＭＡシンボルの前記リソースエレメントにマップされず、第２の系列がマップされる前記リソースエレメントは少なくとも前記ＰＵＳＣＨのために割り当てられるリソースブロックに含まれる前記リソースブロックである。
【０２４８】
（７）また、本発明の第２の態様において、前記複素数値シンボルは参照信号の送信に用いられる前記リソースエレメントにマップされず、前記ＰＵＳＣＨが送信されるサービングセルの前記サブフレームにおいてＳＲＳが送信される場合に、前記複素数値シンボルは前記サブフレームの最後のＳＣ−ＦＤＭＡシンボルのリソースエレメントにマップされず、前記ＰＵＳＣＨのための帯域（リソース）の少なくとも一部がセル固有ＳＲＳの前記サブフレームと重複し、かつ、前記ＰＵＳＣＨを送信する端末装置１が所定の動作モード
に設定されている場合に、前記複素数値シンボルは前記サブフレームの最後の前記ＳＣ−ＦＤＭＡシンボルの前記リソースエレメントにマップされず、前記複素数値シンボルは前記ＰＵＳＣＨが送信される前記サブフレームにおいて第１の固有ＳＲＳが設定される前記ＳＣ−ＦＤＭＡシンボルの前記リソースエレメントにマップされず、前記端末装置１が複数のタイミングアドバンスグループを設定される場合に、前記複素数値シンボルは前記ＰＵＳＣＨが送信される前記サブフレームにおいて第２の固有ＳＲＳが設定される前記ＳＣ−ＦＤＭＡシンボルの前記リソースエレメントにマップされず、。
【０２４９】
（８）また、本発明の第２の態様において、前記ＰＵＳＣＨの送信が前記２ステップコンテンションベースランダムアクセス手順における前記ＰＵＳＣＨの送信である場合に、前記所定のＳＣ−ＦＤＭＡシンボルは、ランダムアクセスプリアンブルのフォーマットに少なくとも基づき与えられる。
【０２５０】
（９）また、本発明の第２の態様において、前記ＰＵＳＣＨの送信が前記２ステップコンテンションベースランダムアクセス手順における前記ＰＵＳＣＨの送信である場合に、前記所定のＳＣ−ＦＤＭＡシンボルは、上位層の信号に少なくとも基づき与えられる。
【０２５１】
（１０）また、本発明の第２の態様において、前記ＰＵＳＣＨの送信が前記２ステップコンテンションベースランダムアクセス手順における前記ＰＵＳＣＨの送信である場合に、前記ＰＵＳＣＨで送信されるサブフレームの最後のＳＣ−ＦＤＭＡシンボルの時間連続信号の少なくとも一部が０に設定され、前記時間連続信号が０に設定される期間は、少なくともランダムアクセスプリアンブルのフォーマットに基づき与えられる。
【０２５２】
（１１）また、本発明の第３の態様は、端末装置１であって、ＰＵＳＣＨの初期送信のために用いられるＳＣ−ＦＤＭＡシンボル数NPUSCH-initialsymbを決定する符号化部と、前記ＰＵＳＣＨを送信する送信部と、を備え、前記ＳＣ−ＦＤＭＡシンボル数NPUSCH-initialsymbは、第１の値NPUSCHendに少なくとも基づき与えられ、前記第１の値NPUSCHendは、第１の条件において１、または１以上であり、第２の条件において１であり、第３の条件において０であり、前記第１の条件は、２ステップコンテンションベースランダムアクセス手順において前記ＰＵＳＣＨが送信されることであり、前記第２の条件は、前記ＰＵＳＣＨがＬＡＡセルにおいて送信され、かつ、前記ＰＵＳＣＨがサブフレームの最後から２番目のＳＣ−ＦＤＭＡシンボルまで送信されることが設定され、かつ、前記ＰＵＳＣＨに対応する第２の値NSRSが０であることであり、前記第３の条件は、前記第１の条件、および、前記第２の条件とは異なる。
【０２５３】
（１２）また、本発明の第３の態様において、前記ＳＣ−ＦＤＭＡシンボル数NPUSCH-initialsymbは、前記第１の値NPUSCHendに加えて、前記第２の値NSRSに少なくとも基づき
与えられ、前記第２の値NSRSは、所定の条件を満たす場合に１であり、前記所定の条件は第３の条件から第７の条件の一部または全部を少なくとも満たすことであり、前記第３の条件は、前記端末装置１に対して１つの上りリンクセル（ＵＬセル）が設定され、かつ、前記ＰＵＳＣＨの初期送信とＳＲＳの送信が同一のサブフレームに設定されることであり、前記第４の条件は、前記ＰＵＳＣＨの初期送信と前記ＳＲＳの送信が同一のサービングセルの前記サブフレームにおいて実施されることであり、前記第５の条件は、前記ＰＵＳＣＨの初期送信のための帯域（リソース、または周波数リソース）の少なくとも一部がセル固有ＳＲＳに設定される帯域と重複することであり、前記第６の条件は、前記ＰＵＳＣＨの初期送信のための前記サブフレームにおいて、第１のＵＥ固有ＳＲＳが設定されることであり、前記第７の条件は、前記ＰＵＳＣＨの初期送信のための前記サブフレームにおいて、第２のＵＥ固有ＳＲＳが設定され、かつ、前記端末装置１が複数のタイミングアドバンスグループを設定されることであり、前記第２の値NSRSは、前記所定の条件を満たさない場合に０である。
【０２５４】
（１３）また、本発明の第３の態様において、前記ＳＣ−ＦＤＭＡシンボル数NPUSCH-initialsymbは、前記第１の値NPUSCHendと前記第２の値NSRSに加えて、第３の値NPUSCHstartに少なくとも基づき与えられ、前記第３の値NPUSCHstartは、前記ＰＵＳＣＨの送信が
ＬＡＡセルにおいて設定され、かつ、前記ＰＵＳＣＨの送信が最初のＳＣ−ＦＤＭＡシンボルの先頭から開始されないことが指示された場合に１であり、それ以外の場合に０である。
【０２５５】
（１４）また、本発明の第３の態様において、前記第１の条件において、前記第１の値NPUSCHendは、ランダムアクセスプリアンブルのフォーマットに少なくとも基づき与えら
れる。
【０２５６】
（１５）また、本発明の第３の態様において、前記第１の条件において、前記第１の値NPUSCHendは、上位層の信号に少なくとも基づき与えられる。
【０２５７】
（１６）また、本発明の第３の態様において、前記第１の条件において、前記ＰＵＳＣＨで送信されるサブフレームの最後のＳＣ−ＦＤＭＡシンボルの時間連続信号の少なくとも一部が０に設定され、前記時間連続信号が０に設定される期間は、少なくともランダムアクセスプリアンブルのフォーマットに基づき与えられる。
【０２５８】
（１７）また、本発明の第４の態様は、基地局装置３であって、ＰＵＳＣＨの初期送信のために用いられるＳＣ−ＦＤＭＡシンボル数NPUSCH-initialsymbを決定する復号化部と、前記ＰＵＳＣＨを受信する送信部と、を備え、前記ＳＣ−ＦＤＭＡシンボル数NPUSCH-initialsymbは、第１の値NPUSCHendに少なくとも基づき与えられ、前記第１の値NPUSCHendは、第１の条件において１、または１以上であり、第２の条件において１であり、第３の条件において０であり、前記第１の条件は、２ステップコンテンションベースランダムアクセス手順において前記ＰＵＳＣＨが送信されることであり、前記第２の条件は、前記ＰＵＳＣＨがＬＡＡセルにおいて送信され、かつ、前記ＰＵＳＣＨがサブフレームの最後から２番目のＳＣ−ＦＤＭＡシンボルまで送信されることが設定され、かつ、前記ＰＵＳＣＨに対応する第２の値NSRSが０であることであり、前記第３の条件は、前記第１の条件、および、前記第２の条件とは異なる。
【０２５９】
（１８）また、本発明の第４の態様において、前記ＳＣ−ＦＤＭＡシンボル数NPUSCH-initialsymbは、前記第１の値NPUSCHendに加えて、前記第２の値NSRSに少なくとも基づき
与えられ、前記第２の値NSRSは、所定の条件を満たす場合に１であり、前記所定の条件は第３の条件から第７の条件の一部または全部を少なくとも満たすことであり、前記第３の条件は、前記端末装置１に対して１つの上りリンクセル（ＵＬセル）が設定され、かつ、前記ＰＵＳＣＨの初期送信とＳＲＳの送信が同一のサブフレームに設定されることであり、前記第４の条件は、前記ＰＵＳＣＨの初期送信と前記ＳＲＳの送信が同一のサービングセルの前記サブフレームにおいて実施されることであり、前記第５の条件は、前記ＰＵＳＣＨの初期送信のための帯域（リソース、または周波数リソース）の少なくとも一部がセル固有ＳＲＳに設定される帯域と重複することであり、前記第６の条件は、前記ＰＵＳＣＨの初期送信のための前記サブフレームにおいて、第１のＵＥ固有ＳＲＳが設定されることであり、前記第７の条件は、前記ＰＵＳＣＨの初期送信のための前記サブフレームにおいて、第２のＵＥ固有ＳＲＳが設定され、かつ、前記端末装置１が複数のタイミングアドバンスグループを設定されることであり、前記第２の値NSRSは、前記所定の条件を満たさない場合に０である。
【０２６０】
（１９）また、本発明の第４の態様において、前記ＳＣ−ＦＤＭＡシンボル数NPUSCH-initialsymbは、前記第１の値NPUSCHendと前記第２の値NSRSに加えて、第３の値NPUSCHsta
rtに少なくとも基づき与えられ、前記第３の値NPUSCHstartは、前記ＰＵＳＣＨの送信が
ＬＡＡセルにおいて設定され、かつ、前記ＰＵＳＣＨの送信が最初のＳＣ−ＦＤＭＡシンボルの先頭から開始されないことが指示された場合に１であり、それ以外の場合に０である。
【０２６１】
（２０）また、本発明の第４の態様において、前記第１の条件において、前記第１の値NPUSCHendは、ランダムアクセスプリアンブルのフォーマットに少なくとも基づき与えら
れる。
【０２６２】
（２１）また、本発明の第４の態様において、前記第１の条件において、前記第１の値NPUSCHendは、上位層の信号に少なくとも基づき与えられる。
【０２６３】
（２２）また、本発明の第４の態様において、前記第１の条件において、前記ＰＵＳＣＨで送信されるサブフレームの最後のＳＣ−ＦＤＭＡシンボルの時間連続信号の少なくとも一部が０に設定され、前記時間連続信号が０に設定される期間は、少なくともランダムアクセスプリアンブルのフォーマットに基づき与えられる。
【０２６４】
これにより、端末装置および基地局装置が互いに、効率的にランダムアクセス手順を実行することができる。
【０２６５】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２６６】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２６７】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０２６８】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０２６９】
さらに「コンピュータが読み取り可能な記録媒体」とは、インターネット等のネットワークや電話回線等の通信回線を介してプログラムを送信する場合の通信線のように、短時
間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０２７０】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０２７１】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２７２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２７３】
１（１Ａ、１Ｂ、１Ｃ）  端末装置
３  基地局装置
１０１  上位層処理部
１０３  制御部
１０５  受信部
１０７  送信部
１０９  送受信アンテナ
１０１１  無線リソース制御部
１０１３  スケジューリング部
１０５１  復号化部
１０５３  復調部
１０５５  多重分離部
１０５７  無線受信部
１０５９  チャネル測定部
１０７１  符号化部
１０７３  ＰＵＳＣＨ生成部
１０７５  ＰＵＣＣＨ生成部
１０７７  多重部
１０７９  無線送信部
１０７１１  上りリンク参照信号生成部
３０１  上位層処理部
３０３  制御部
３０５  受信部
３０７  送信部
３０９  送受信アンテナ
３０１１  無線リソース制御部
３０１３  スケジューリング部
３０５１  データ復調／復号部
３０５３  制御情報復調／復号部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
【図１】
2020057822.tif 000007
【図２】
2020057822.tif 000008
【図３】
2020057822.tif 000009
【図４】
2020057822.tif 000010
【図５】
2020057822.tif 000011
【図６】
2020057822.tif 000012
【図７】
2020057822.tif 000013
【図８】
2020057822.tif 000014
【図９】
2020057822.tif 000015
【図１０】
2020057822.tif 000016
【図１１】
2020057822.tif 000017
【図１２】
2020057822.tif 000018
【図１３】
2020057822.tif 000019
【図１４】
2020057822.tif 000020
【図１５】
2020057822.tif 000021